(57)【要約】  本発明はデータを順次提出する方法、ネットワーク装置、端末装置及びコンピュータ記憶媒体を開示し、前記方法は、データフローのベアラが第１ネットワーク装置から第２ネットワーク装置に移行される時に、前記第１ネットワーク装置は前記第２ネットワーク装置が移行されたデータフローを新たなベアラで順次伝送し始めることを指示するための第１指示情報を、前記第２ネットワーク装置に送信することを含む。
2021515467.tif 000002
【特許請求の範囲】
【請求項１】
データを順次提出する方法であって、第１ネットワーク装置に適用され、
データフローのベアラが第１ネットワーク装置から第２ネットワーク装置に移行される時に、前記第１ネットワーク装置は、前記第２ネットワーク装置が移行されたデータフローを新たなベアラで順次伝送し始めることを指示するための第１指示情報を、前記第２ネットワーク装置に送信することを含むデータを順次提出する方法。
【請求項２】
前記データフローのベアラが第１ネットワーク装置から第２ネットワーク装置に移行される時に、前記第１ネットワーク装置は、元のデータ無線ベアラ（ＤＲＢ）を保持し、未確認のデータフローの第１部分データを前記端末装置に伝送し、コアネットワークからの第２部分データを第２ネットワーク装置に転送することを更に含む請求項１に記載の方法。
【請求項３】
前記第１ネットワーク装置が第１指示情報を第２ネットワーク装置に送信することは、
前記第１ネットワーク装置がＸｎインターフェースによって、第１指示情報を第２ネットワーク装置に送信することを含む請求項１又は２に記載の方法。
【請求項４】
データを順次提出する方法であって、第２ネットワーク装置に適用され、
データフローのベアラが第１ネットワーク装置から第２ネットワーク装置に移行される時に、第１ネットワーク装置からの、前記第２ネットワーク装置が移行されたデータフローを新たなベアラで順次伝送し始めることを指示するための第１指示情報を受信することを含むデータを順次提出する方法。
【請求項５】
Ｘｎインターフェースによって、前記第１ネットワーク装置から送信された第１指示情報を受信することを更に含む請求項４に記載の方法。
【請求項６】
前記第１ネットワーク装置からのデータフローの第２部分データを受信することを更に含む請求項４又は５に記載の方法。
【請求項７】
前記コアネットワーク装置から送信された第３部分データを受信することを更に含む請求項４〜６のいずれか一項に記載の方法。
【請求項８】
前記第１指示情報に基づいて、前記データフローの第２部分データ、及び第３部分データをソートして伝送することを更に含む請求項７に記載の方法。
【請求項９】
前記データフローの第２部分データ、及び第３部分データをソートして伝送することは、
前記データフローの第２部分データを第３部分データに先立って伝送することを含む請求項８に記載の方法。
【請求項１０】
データを順次提出する方法であって、端末装置に適用され、
データフローのベアラが第１ネットワーク装置から第２ネットワーク装置に移行される時に、第１ネットワーク装置からのデータフローの第１部分データを受信することを含むデータを順次提出する方法。
【請求項１１】
前記第１ネットワーク装置からのデータフローの第１部分データを受信することは、
前記第１ネットワーク装置との間に元のデータ無線ベアラ（ＤＲＢ）を保持し、前記第１ネットワーク装置から伝送された未確認のデータフローの第１部分データを受信することを含む請求項１０に記載の方法。
【請求項１２】
データを順次提出する方法であって、端末装置に適用され、
データフローのベアラが第１ネットワーク装置から第２ネットワーク装置に移行される時に、前記端末装置は、データフローの第１部分データ、及び移行の発生時にデータフロー内の伝送未完了の第１部分データの伝送が完了したことを指示するための第２指示情報を第１ネットワーク装置に伝送することを含むデータを順次提出する方法。
【請求項１３】
前記端末装置はデータフローの第２部分データを第２ネットワーク装置に伝送することを更に含む請求項１２に記載の方法。
【請求項１４】
前記端末装置がデータフローの第１部分データを第１ネットワーク装置に伝送することは、
データフローのベアラが第１ネットワーク装置から第２ネットワーク装置に移行される時に、前記第１ネットワーク装置との間のデータ無線ベアラ（ＤＲＢ）を保持し、未確認の前記データフローの第１部分ＰＤＣＰ  ＰＤＵを前記第１ネットワーク装置に送信することを含む請求項１２に記載の方法。
【請求項１５】
データを順次提出する方法であって、第１ネットワーク装置に適用され、
データフローのベアラが第１ネットワーク装置から第２ネットワーク装置に移行される時に、端末装置からのデータフローの第１部分データ、及び端末装置からの、移行の発生時にデータフロー内の伝送未完了の第１部分データの伝送が完了したことを指示するための第２指示情報を受信することと、
前記データフローの第１部分データ及び前記第２指示情報を第２ネットワーク装置に送信し、又は、前記データフローの第１部分データをコアネットワークに送信して、前記第２指示情報を第２ネットワーク装置に送信することと、を含むデータを順次提出する方法。
【請求項１６】
前記データフローの第１部分データ及び前記第２指示情報を第２ネットワーク装置に送信することは、
前記データフローの第１部分データ、及び前記第２指示情報を、Ｘｎインターフェースによって第２ネットワーク装置に送信することを含む請求項１５に記載の方法。
【請求項１７】
前記データフローの第１部分データをコアネットワークに送信し、前記第２指示情報を第２ネットワーク装置に送信することは、
前記データフローの第１部分データをコアネットワークとの間のＧＴＰトンネルによってコアネットワークに送信することと、
前記第２指示情報をＸｎインターフェースによって第２ネットワーク装置に送信することと、を含む請求項１５に記載の方法。
【請求項１８】
前記端末装置からのデータフローの第１部分データを受信することは、
データフローのベアラが第１ネットワーク装置から第２ネットワーク装置に移行される時に、前記第１ネットワーク装置のデータ無線ベアラ（ＤＲＢ）を保持し続け、端末装置からの未確認の前記データフローの第１部分ＰＤＣＰ  ＰＤＵを受信することを含む請求項１５に記載の方法。
【請求項１９】
Ｘｎインターフェースで、第２ネットワーク装置との間の、第２ネットワーク装置にデータを転送するためのＧＴＰトンネルを確立することを更に含む請求項１８に記載の方法。
【請求項２０】
データを順次提出する方法であって、第２ネットワーク装置に適用され、
データフローのベアラが第１ネットワーク装置から第２ネットワーク装置に移行される時に、第１ネットワーク装置からのデータフローの第１部分データ及び第２指示情報を受信し、又は、第１ネットワーク装置からの第２指示情報を受信し、前記第２指示情報は移行の発生時にデータフロー内の伝送未完了の第１部分データの伝送が完了したことを指示するためのものであることと、
前記第２指示情報に基づいて、前記第２ネットワーク装置が前記第１部分データをコアネットワークに提出した後、データフローの第２部分データをコアネットワークに提出することと、を含むデータを順次提出する方法。
【請求項２１】
前記第１ネットワーク装置からのデータフローの第１部分データ、及び第２指示情報を受信することは、
Ｘｎインターフェースによって、第１ネットワーク装置からのデータフローの第１部分データ、及び第２指示情報を受信することを含む請求項２０に記載の方法。
【請求項２２】
前記第１ネットワーク装置からの第２指示情報を受信することは、
Ｘｎインターフェースによって、第１ネットワーク装置からのデータフローの第２指示情報を受信することを含む請求項２０に記載の方法。
【請求項２３】
第２指示情報を受信したか否かを判断し、受信していない場合、前記データフローの第２部分データをコアネットワークに送信しないまま維持し、受信した場合、前記第１部分データをコアネットワークに送信した後、受信したデータフローの第２部分データをコアネットワークに提出するように制御することを更に含む請求項２０に記載の方法。
【請求項２４】
Ｘｎインターフェースで、第１ネットワーク装置との間の、第１ネットワーク装置から送信されたデータを受信するためのＧＴＰトンネルを確立することを更に含む請求項２３に記載の方法。
【請求項２５】
第１ネットワーク装置であって、第１通信ユニットを備え、
前記第１通信ユニットは、データフローのベアラが第１ネットワーク装置から第２ネットワーク装置に移行される時に、前記第１ネットワーク装置が、前記第２ネットワーク装置が移行されたデータフローを新たなベアラで順次伝送し始めることを指示するための第１指示情報を、前記第２ネットワーク装置に送信する第１ネットワーク装置。
【請求項２６】
前記第１通信ユニットは、前記データフローのベアラが第１ネットワーク装置から第２ネットワーク装置に移行される時に、前記第１ネットワーク装置が元のデータ無線ベアラ（ＤＲＢ）を保持し、未確認のデータフローの第１部分データを前記端末装置に伝送し、コアネットワークからの第２部分データを第２ネットワーク装置に転送する請求項２５に記載の第１ネットワーク装置。
【請求項２７】
前記第１通信ユニットはＸｎインターフェースによって、第１指示情報を第２ネットワーク装置に送信する請求項２５又は２６に記載の第１ネットワーク装置。
【請求項２８】
第２ネットワーク装置であって、
データフローのベアラが第１ネットワーク装置から第２ネットワーク装置に移行される時に、第１ネットワーク装置からの、前記第２ネットワーク装置が移行されたデータフローを新たなベアラで順次伝送し始めることを指示するための第１指示情報を受信する第２通信ユニットを備える第２ネットワーク装置。
【請求項２９】
前記第２通信ユニットはＸｎインターフェースによって、前記第１ネットワーク装置から送信された第１指示情報を受信する請求項２８に記載の第２ネットワーク装置。
【請求項３０】
前記第２通信ユニットは前記第１ネットワーク装置からのデータフローの第２部分データを受信する請求項２８又は２９に記載の第２ネットワーク装置。
【請求項３１】
前記第２通信ユニットは前記コアネットワーク装置から送信された第３部分データを受信する請求項２８〜３０のいずれか一項に記載の第２ネットワーク装置。
【請求項３２】
前記第１指示情報に基づいて、前記データフローの第２部分データ、及び第３部分データをソートして伝送する第２処理ユニットを更に備える請求項３１に記載の第２ネットワーク装置。
【請求項３３】
前記第２通信ユニットは前記データフローの第２部分データを第３部分データに先立って伝送する請求項３２に記載の第２ネットワーク装置。
【請求項３４】
端末装置であって、
データフローのベアラが第１ネットワーク装置から第２ネットワーク装置に移行される時に、第１ネットワーク装置からのデータフローの第１部分データを受信する第６通信ユニットを備える端末装置。
【請求項３５】
前記第６通信ユニットは、前記第１ネットワーク装置との間に元のデータ無線ベアラ（ＤＲＢ）を保持し、前記第１ネットワーク装置から伝送された未確認のデータフローの第１部分データを受信する請求項３４に記載の端末装置。
【請求項３６】
端末装置であって、
データフローのベアラが第１ネットワーク装置から第２ネットワーク装置に移行される時に、データフローの第１部分データ、及び移行の発生時にデータフロー内の伝送未完了の第１部分データの伝送が完了したことを指示するための第２指示情報を第１ネットワーク装置に伝送する第３通信ユニットを備える端末装置。
【請求項３７】
前記第３通信ユニットはデータフローの第２部分データを第２ネットワーク装置に伝送する請求項３６に記載の端末装置。
【請求項３８】
前記第３通信ユニットは、データフローのベアラが第１ネットワーク装置から第２ネットワーク装置に移行される時に、前記第１ネットワーク装置との間のデータ無線ベアラ（ＤＲＢ）を保持し、未確認の前記データフローの第１部分ＰＤＣＰ  ＰＤＵを前記第１ネットワーク装置に送信する請求項３７に記載の端末装置。
【請求項３９】
第１ネットワーク装置であって、
データフローのベアラが第１ネットワーク装置から第２ネットワーク装置に移行される時に、端末装置からのデータフローの第１部分データ、及び端末装置からの、移行の発生時にデータフロー内の伝送未完了の第１部分データの伝送が完了したことを指示するための第２指示情報を受信し、前記データフローの第１部分データ及び前記第２指示情報を第２ネットワーク装置に送信し、又は、前記データフローの第１部分データをコアネットワークに送信して、前記第２指示情報を第２ネットワーク装置に送信する第４通信ユニットを備える第１ネットワーク装置。
【請求項４０】
第４通信ユニットは前記データフローの第１部分データ、及び前記第２指示情報を、Ｘｎインターフェースによって第２ネットワーク装置に送信する請求項３９に記載の第１ネットワーク装置。
【請求項４１】
第４通信ユニットは、前記データフローの第１部分データをコアネットワークとの間のＧＴＰトンネルによってコアネットワークに送信し、前記第２指示情報をＸｎインターフェースによって第２ネットワーク装置に送信する請求項３９に記載の第１ネットワーク装置。
【請求項４２】
第４通信ユニットは、データフローのベアラが第１ネットワーク装置から第２ネットワーク装置に移行される時に、データ無線ベアラ（ＤＲＢ）を保持し続け、端末装置からの未確認の前記データフローの第１部分ＰＤＣＰ  ＰＤＵを受信する請求項３９に記載の第１ネットワーク装置。
【請求項４３】
第４通信ユニットはＸｎインターフェースで、第２ネットワーク装置との間の、第２ネットワーク装置にデータを転送するためのＧＴＰトンネルを確立する請求項４２に記載の第１ネットワーク装置。
【請求項４４】
第２ネットワーク装置であって、
データフローのベアラが第１ネットワーク装置から第２ネットワーク装置に移行される時に、第１ネットワーク装置からのデータフローの第１部分データ及び第２指示情報を受信し、又は、第１ネットワーク装置からの第２指示情報を受信し、前記第２指示情報は移行の発生時にデータフロー内の伝送未完了の第１部分データの伝送が完了したことを指示するためのものである第５通信ユニットと、
前記第２指示情報に基づいて、前記第１部分データをコアネットワークに提出した後、データフローの第２部分データをコアネットワークに提出する第５処理ユニットと、を備える第２ネットワーク装置。
【請求項４５】
前記第５通信ユニットはＸｎインターフェースによって、第１ネットワーク装置からのデータフローの第１部分データ、及び第２指示情報を受信する請求項４４に記載の第２ネットワーク装置。
【請求項４６】
前記第５通信ユニットはＸｎインターフェースによって、第１ネットワーク装置からのデータフローの第２指示情報を受信する請求項４４に記載の第２ネットワーク装置。
【請求項４７】
前記第５処理ユニットは第２指示情報を受信したか否かを判断し、受信していない場合、前記データフローの第２部分データをコアネットワークに送信しないまま維持し、受信した場合、前記第１部分データをコアネットワークに送信した後、受信したデータフローの第２部分データをコアネットワークに提出するように制御する請求項４４に記載の第２ネットワーク装置。
【請求項４８】
前記第５通信ユニットはＸｎインターフェースで、第１ネットワーク装置との間の、第１ネットワーク装置から送信されたデータを受信するためのＧＴＰトンネルを確立する請求項４７に記載の第２ネットワーク装置。
【請求項４９】
ネットワーク装置であって、プロセッサ、及びプロセッサで実行可能なコンピュータプログラムを記憶するためのメモリを備え、
前記プロセッサは前記コンピュータプログラムを実行することに用いられる時に、請求項１〜９、１５〜２４のいずれか一項に記載の方法のステップを実行するネットワーク装置。
【請求項５０】
端末装置であって、プロセッサ、及びプロセッサで実行可能なコンピュータプログラムを記憶するためのメモリを備え、
前記プロセッサは前記コンピュータプログラムを実行することに用いられる時に、請求項１０〜１４のいずれか一項に記載の方法のステップを実行する端末装置。
【請求項５１】
コンピュータ記憶媒体であって、前記コンピュータ記憶媒体にコンピュータ実行可能命令が記憶され、前記コンピュータ実行可能命令が実行される時に、請求項１〜２４のいずれか一項に記載の方法のステップを実現するコンピュータ記憶媒体。
【発明の詳細な説明】
【技術分野】
【０００１】
本発明は情報処理の技術分野に関し、特にデータを順次提出する方法、ネットワーク装置、端末装置及びコンピュータ記憶媒体に関する。
【背景技術】
【０００２】
５Ｇの主な応用シーンは拡張モバイルウルトラブロードバンド（ｅＭＢＢ）、低超高信頼低遅延通信（ＵＲＬＬＣ）、超多数同時接続通信（ｍＭＴＣ）である。ＮＲの初期のデプロイの時、完全なＮＲカバレッジを実現することが非常に難しいため、典型的なネットワークカバレッジは広域のＬＴＥカバレッジ及びＮＲのアイランドカバレッジモードである。且つ、大量のＬＴＥが６ＧＨｚ以下にデプロイされ、５Ｇに利用可能な６ＧＨｚ以下のスペクトルはごく少ない。従って、ＮＲについては６ＧＨｚ以上のスペクトル応用を研究する必要があり、また、モバイルオペレーターのＬＴＥへの初期投資を確保するために、ＬＴＥとＮＲとの間のｔｉｇｈｔ  ｉｎｔｅｒｗｏｒｋｉｎｇの動作モードを提案している。ＮＲは独立してデプロイされてもよい。
【０００３】
５Ｇネットワークのデプロイ及び商用化をできるだけ早く実現するために、３ＧＰＰは２０１７年１２月末前に最初の５Ｇバージョン、即ちＥＮ−ＤＣ（ＬＴＥ−ＮＲ  Ｄｕａｌ  Ｃｏｎｎｅｃｔｉｖｉｔｙ）を完成した。ここで、ＬＴＥはマスターノード（ＭＮ、Ｍａｓｔｅｒ  Ｎｏｄｅ）として、ＮＲはセカンダリノード（ＳＮ、Ｓｅｃｏｎｄａｒｙ  Ｎｏｄｅ）として、ネットワークデプロイ及びネットワークアーキテクチャは図１〜図３に示される。デュアル接続（ＤＣ）はＥＮ−ＤＣ、ＮＥ−ＤＣ、５ＧＣ−ＥＮ−ＤＣ、ＮＲ  ＤＣを含む。ＥＮ−ＤＣでは、ＬＴＥノードはＭＮノードとして、ＮＲノードはＳＮノードとして、ＥＰＣコアネットワークに接続される。ＮＥ−ＤＣでは、ＮＲはＭＮノードとして、ｅＬＴＥはＳＮノードとして、５ＧＣコアネットワークに接続される。５ＧＣ−ＥＮ−ＤＣでは、ｅＬＴＥはＭＮノードとして、ＮＲはＳＮノードとして、５ＧＣコアネットワークに接続される。ＮＲ  ＤＣでは、ＮＲはＭＮノードとして、ＮＲはＳＮノードとして、５ＧＣコアネットワークに接続される。ＤＣモードでのベアラのタイプは図４に示され、ＬＴＥ  ＤＣでは、ユーザープレーンにおけるベアラのタイプはマスターセルグループ（ＭＣＧ）ベアラ（ｂｅａｒｅｒ）、セカンダリセルグループ（ＳＣＧ）ベアラ（ｂｅａｒｅｒ）、ＭＣＧスプリット（Ｓｐｌｉｔ）ｂｅａｒｅｒを含む。ＭＣＧ  ｓｐｌｉｔ  ｂｅａｒｅｒとＳＣＧ  ｓｐｌｉｔ  ｂｅａｒｅｒとの間の変更を最小限に抑えるために、ベアラ調和（ｂｅａｒｅｒ  ｈａｒｍｏｎｉｚａｔｉｏｎ）の概念を提案し、即ち、ＭＣＧ  ｓｐｌｉｔ  ｂｅａｒｅｒ及びＳＣＧ  ｓｐｌｉｔ  ｂｅａｒｅｒをスプリットベアラ（Ｓｐｌｉｔ  ｂｅａｒｅｒ）と総称する。
【０００４】
５Ｇ  ＮＲでは、新たなプロトコル層のサービスデータ適応プロトコル（ＳＤＡＰ、Ｓｅｒｖｉｃｅ  Ｄａｔａ  Ａｄａｐｔａｔｉｏｎ  Ｐｒｏｔｏｃｏｌ）が導入され、該プロトコル層はコアネットワークからのＱｏｓデータフロー（Ｆｌｏｗ）のデータを異なるＤＲＢにマッピングするためのものである。一方、ｅＬＴＥはＬＴＥにおいてＬＴＥ基地局が５Ｇコアネットワークにアクセスすることをサポートするため、ｅＬＴＥのプロトコルスタックにもＳＤＡＰプロトコルが含まれている。図５に示すように、ＮＥ−ＤＣ、５ＧＣ−ＥＮ−ＤＣ、ＮＲ  ＤＣでは、各ＭＮ、ＳＮノードはＳＤＡＰプロトコルを使用する。従って、従来技術におけるベアラ変更には、非順次提出の問題が存在する。
【発明の概要】
【発明が解決しようとする課題】
【０００５】
上記技術的課題を解決するために、本発明の実施例はデータを順次提出する方法、ネットワーク装置、端末装置及びコンピュータ記憶媒体を提供する。
【課題を解決するための手段】
【０００６】
本発明の実施例はデータを順次提出する方法を提供し、第１ネットワーク装置に適用され、
データフローのベアラが第１ネットワーク装置から第２ネットワーク装置に移行される時に、前記第１ネットワーク装置は、前記第２ネットワーク装置が移行されたデータフローを新たなベアラで順次伝送し始めることを指示するための第１指示情報を、前記第２ネットワーク装置に送信することを含む。
【０００７】
本発明の実施例はデータを順次提出する方法を提供し、第２ネットワーク装置に適用され、
データフローのベアラが第１ネットワーク装置から第２ネットワーク装置に移行される時に、第１ネットワーク装置からの、前記第２ネットワーク装置が移行されたデータフローを新たなベアラで順次伝送し始めることを指示するための第１指示情報を受信することを含む。
【０００８】
本発明の実施例はデータを順次提出する方法を提供し、端末装置に適用され、
データフローのベアラが第１ネットワーク装置から第２ネットワーク装置に移行される時に、前記端末装置はデータフローの第１部分データ、及び移行の発生時にデータフロー内の伝送未完了の第１部分データの伝送が完了したことを指示するための第２指示情報を、第１ネットワーク装置に伝送することを含む。
【０００９】
本発明の実施例はデータを順次提出する方法を提供し、第１ネットワーク装置に適用され、
データフローのベアラが第１ネットワーク装置から第２ネットワーク装置に移行される時に、端末装置からのデータフローの第１部分データ、及び端末装置からの、移行の発生時にデータフロー内の伝送未完了の第１部分データの伝送が完了したことを指示するための第２指示情報を受信することと、
前記データフローの第１部分データ及び前記第２指示情報を第２ネットワーク装置に送信し、又は、前記データフローの第１部分データをコアネットワークに送信して、前記第２指示情報を第２ネットワーク装置に送信することと、を含む。
【００１０】
本発明の実施例はデータを順次提出する方法を提供し、第２ネットワーク装置に適用され、
データフローのベアラが第１ネットワーク装置から第２ネットワーク装置に移行される時に、第１ネットワーク装置からのデータフローの第１部分データ及び第２指示情報を受信し、又は、第１ネットワーク装置からの第２指示情報を受信し、前記第２指示情報は移行の発生時にデータフロー内の伝送未完了の第１部分データの伝送が完了したことを指示するためのものであることと、
前記第２指示情報に基づいて、前記第２ネットワーク装置が前記第１部分データをコアネットワークに提出した後、データフローの第２部分データをコアネットワークに提出することと、を含む。
【００１１】
本発明の実施例は第１ネットワーク装置を提供し、第１通信ユニットを備え、
前記第１通信ユニットは、データフローのベアラが第１ネットワーク装置から第２ネットワーク装置に移行される時に、前記第１ネットワーク装置が、前記第２ネットワーク装置が移行されたデータフローを新たなベアラで順次伝送し始めることを指示するための第１指示情報を、前記第２ネットワーク装置に送信する。
【００１２】
本発明の実施例は第２ネットワーク装置を提供し、
データフローのベアラが第１ネットワーク装置から第２ネットワーク装置に移行される時に、第１ネットワーク装置からの、前記第２ネットワーク装置が移行されたデータフローを新たなベアラで順次伝送し始めることを指示するための第１指示情報を受信する第２通信ユニットを備える。
【００１３】
本発明の実施例は端末装置を提供し、
データフローのベアラが第１ネットワーク装置から第２ネットワーク装置に移行される時に、データフローの第１部分データ、及び移行の発生時にデータフロー内の伝送未完了の第１部分データの伝送が完了したことを指示するための第２指示情報を第１ネットワーク装置に伝送する第３通信ユニットを備える。
【００１４】
本発明の実施例は第１ネットワーク装置を提供し、
データフローのベアラが第１ネットワーク装置から第２ネットワーク装置に移行される時に、端末装置からのデータフローの第１部分データ、及び端末装置からの、移行の発生時にデータフロー内の伝送未完了の第１部分データの伝送が完了したことを指示するための第２指示情報を受信し、前記データフローの第１部分データ及び前記第２指示情報を第２ネットワーク装置に送信し、又は、前記データフローの第１部分データをコアネットワークに送信して、前記第２指示情報を第２ネットワーク装置に送信する第４通信ユニットを備える。
【００１５】
本発明の実施例は第２ネットワーク装置を提供し、
データフローのベアラが第１ネットワーク装置から第２ネットワーク装置に移行される時に、第１ネットワーク装置からのデータフローの第１部分データ及び第２指示情報を受信し、又は、第１ネットワーク装置からの第２指示情報を受信し、前記第２指示情報は移行の発生時にデータフロー内の伝送未完了の第１部分データの伝送が完了したことを指示するためのものである第５通信ユニットと、
前記第２指示情報に基づいて、前記第１部分データをコアネットワークに提出した後、データフローの第２部分データをコアネットワークに提出する第５処理ユニットと、を備える。
【００１６】
本発明の実施例はネットワーク装置を提供し、プロセッサ、及びプロセッサで実行可能なコンピュータプログラムを記憶するためのメモリを備え、前記プロセッサは前記コンピュータプログラムを実行することに用いられる時に、前記方法のステップを実行する。
【００１７】
本発明の実施例は端末装置を提供し、プロセッサ、及びプロセッサで実行可能なコンピュータプログラムを記憶するためのメモリを備え、前記プロセッサは前記コンピュータプログラムを実行することに用いられる時に、前記方法のステップを実行する。
【００１８】
本発明の実施例はコンピュータ記憶媒体を提供し、前記コンピュータ記憶媒体にコンピュータ実行可能命令が記憶され、前記コンピュータ実行可能命令が実行される時に、前記方法のステップを実現する。
【発明の効果】
【００１９】
本発明の実施例の技術案によれば、データフローのベアラが第１ネットワーク装置から第２ネットワーク装置に移行される時に、前記第１ネットワーク装置は第１指示情報を第２ネットワーク装置に送信し、前記第１指示情報によって、前記第２ネットワーク装置は移行されたデータフローを新たなベアラで順次伝送し始めることができる。それによって、データフロー移行の発生時、移行先ネットワーク装置側はデータ伝送の順序を確保することができる。
【図面の簡単な説明】
【００２０】
【図１】図１はＤＣのネットワークデプロイ及びネットワークアーキテクチャの模式図である。
【図２】図２はＤＣのネットワークデプロイ及びネットワークアーキテクチャの模式図である。
【図３】図３はＤＣのネットワークデプロイ及びネットワークアーキテクチャの模式図である。
【図４】図４はＤＣモードでのベアラのタイプの模式図である。
【図５】図５は従来技術におけるベアラ移行時の非順次提出の模式図である。
【図６】図６は本発明の実施例によるデータを順次提出する方法のフローチャート１である。
【図７】図７は本発明の実施例によるダウンリンクデータ処理シーンの模式図である。
【図８】図８は本発明の実施例によるデータを順次提出する方法のフローチャート２である。
【図９】図９は本発明の実施例によるアップリンクデータ処理シーンの模式図である。
【図１０】図１０は本発明の実施例によるデータを順次提出する方法のフローチャート３である。
【図１１】図１１は本発明の実施例によるデータを順次提出する方法のフローチャート４である。
【図１２】図１２は本発明の実施例によるネットワーク装置の構成模式図１である。
【図１３】図１３は本発明の実施例によるネットワーク装置の構成模式図２である。
【図１４】図１４は本発明の実施例によるハードウェア構成模式図である。
【発明を実施するための形態】
【００２１】
本発明の実施例の特徴及び技術内容をより詳しく理解するために、以下、図面を参照して本発明の実施例の実現を詳細に説明し、添付図面は参考及び説明を目的とし、本発明の実施例を限定するものではない。
【００２２】
実施例１
本願の実施例はデータを順次提出する方法を提供し、第１ネットワーク装置に適用され、
データフローのベアラが第１ネットワーク装置から第２ネットワーク装置に移行される時に、前記第１ネットワーク装置は、前記第２ネットワーク装置が移行されたデータフローを新たなベアラで順次伝送し始めることを指示するための第１指示情報を、前記第２ネットワーク装置に送信することを含む。
【００２３】
本実施例におけるデータフローはＱｏＳデータフローとして理解してもよく、第１ネットワーク装置は移行元ノードであってもよく、第２ネットワーク装置は移行先ノードであってもよい。また、第１ネットワーク装置及び第２ネットワーク装置はそれぞれデュアル接続（ＤＣ）におけるマスターノード（ＭＮ）及びセカンダリノード（ＳＮ）であってもよく、勿論、ＤＣシーンでの他のノードであってもよいが、ここでは重複説明を省略する。
【００２４】
なお、本実施例におけるデータフローはＱｏｓデータフローであってもよい。
【００２５】
また、前記データフローのベアラが第１ネットワーク装置から第２ネットワーク装置に移行される時に、前記第１ネットワーク装置は、元のデータ無線ベアラ（ＤＲＢ）を保持し、未確認のデータフローの第１部分データを前記端末装置に伝送し、コアネットワークからの第２部分データを第２ネットワーク装置に転送する。
【００２６】
未確認とは受信側から送信されたＡＣＫ確認情報の部分データを受信していないことであってもよく、且つ、前記データフローの第２部分データは、データフローが第１ネットワーク装置から第２ネットワーク装置に移行される時と同時に、まだ第１ネットワーク装置に存在するデータである。
【００２７】
この場合、第１ネットワーク装置が第２部分データを、この部分のデータの送信完了まで、第２ネットワーク装置に送信することを更に含んでもよい。
【００２８】
データフローの第２部分データの第２ネットワーク装置への送信が完了する時に、第１指示情報を生成し、その後、第１指示情報を第２ネットワーク装置に送信する。
【００２９】
前記第１指示情報はブランクデータパケットであり、又は、プリセットの識別子を含むデータパケットであってもよい。プリセットの識別子は実際の状況に応じて設定でき、例えば、Ｎ  ｂｉｔのデータであってもよく、該Ｎ  ｂｉｔのデータはプリセットの構成を有し、本実施例では一々列挙しない。
【００３０】
更に、前記第１ネットワーク装置が第１指示情報を第２ネットワーク装置に送信することは、前記第１ネットワーク装置がＸｎインターフェースによって、第１指示情報を第２ネットワーク装置に送信することを含む。
【００３１】
具体的に、図６に示すように、
前記データフローのベアラが第１ネットワーク装置から第２ネットワーク装置に移行される時に、前記第１ネットワーク装置は元のデータ無線ベアラ（ＤＲＢ）を保持し、未確認のデータフローの第１部分データを前記端末装置に伝送し、コアネットワークからの第２部分データを第２ネットワーク装置に転送するステップ６０１と、
データフローの第２部分データの第２ネットワーク装置への送信が完了する時に、第１指示情報を第２ネットワーク装置に送信するステップ６０２と、を含む。
【００３２】
それに対応して、第２ネットワーク装置は前記第１指示情報を受信する時に、移行されたデータフローを新たなベアラで順次伝送し始めることができる。順次伝送とは、先ずデータフローの第２部分データを伝送し、その後、コアネットワークからの第３部分データを伝送することであってもよい。ソートする時に、第２部分データを第３部分データに先立って伝送することで、データフローのベアラの移行時に乱れないことを確保できる。
【００３３】
以下、図７を参照して上記シーンを説明する。ダウンリンク（ＤＬ）データの場合、１つのＱｏｓデータフロー（Ｆｌｏｗ）１が１つのノードから他のノードに移行され、例えば、ＭＮからＳＮに移行される場合、移行元側ノードのＤＲＢがベアラ変更後でも保持され（アクセス及びモビリティ管理機能（ＡＭＦ）からのＱｏＳデータフロー１の第１部分データであってもよい）、データフロー１の第１部分データは元のベアラによって保持されて端末装置に送信され、移行元側ノードは、ＡＣＫ確認を受信していないＱｏＳデータフロー１の第１部分ＰＤＣＰ  ＰＤＵ、即ちＱｏＳデータフロー１の第１部分データを伝送し続け、同時に、第１ネットワーク装置はコアネットワークからの第２部分データを受信し、ＡＣＫ確認を受信していない残りのＱｏＳデータフロー１の第２部分ＰＤＣＰ  ＰＤＵのＳＮへの伝送が全部完了するまで第２部分データを第２ネットワーク装置（即ちＳＮ）に送信し、移行元側ノード（ＭＮ）はＸｎインターフェースによって第１指示情報を移行先側（ＳＮ）に送信し、ここで、該指示情報は、移行先側が上記移行されたＱｏｓデータフロー（Ｆｌｏｗ）に対して新たなベアラでデータ伝送を行い始めることを指示する。なお、ＳＮ、即ち本実施例における第２ネットワーク装置はデータフローの第２部分データ及び第１指示情報を受信した後、まず第２部分データを伝送し、その後、自体の第３部分データを伝送する。このように、伝送されるデータが乱れないことを確保する。
【００３４】
以上から分かるように、上記技術案によれば、データフローのベアラが第１ネットワーク装置から第２ネットワーク装置に移行される時に、前記第１ネットワーク装置は第１指示情報を第２ネットワーク装置に送信し、前記第１指示情報によって、前記第２ネットワーク装置は移行されたデータフローを新たなベアラで順次伝送し始めることができる。それによって、データフロー移行の発生時、移行先ネットワーク装置側がデータ伝送の順序を確保することができる。
【００３５】
実施例２
本願の実施例はデータを順次提出する方法を提供し、第２ネットワーク装置に適用され、
データフローのベアラが第１ネットワーク装置から第２ネットワーク装置に移行される時に、第１ネットワーク装置からの、前記第２ネットワーク装置が移行されたデータフローを新たなベアラで順次伝送し始めることを指示するための第１指示情報を受信することを含む。
【００３６】
本実施例におけるデータフローはＱｏＳデータフローとして理解してもよく、第１ネットワーク装置は移行元ノードであってもよく、第２ネットワーク装置は移行先ノードであってもよい。また、第１ネットワーク装置及び第２ネットワーク装置はそれぞれデュアル接続（ＤＣ）におけるマスターノード（ＭＮ）及びセカンダリノード（ＳＮ）であってもよく、勿論、ＤＣシーンでの他のノードであってもよいが、ここでは重複説明を省略する。
【００３７】
なお、本実施例におけるデータフローはＱｏｓデータフローであってもよい。
【００３８】
また、前記データフローのベアラが第１ネットワーク装置から第２ネットワーク装置に移行される時に、前記第１ネットワーク装置は元のデータ無線ベアラ（ＤＲＢ）を保持し、第２部分データを第２ネットワーク装置に伝送する。それに対応して、前記第２ネットワーク装置は更に前記第１ネットワーク装置からのデータフローの第２部分データを受信する。
【００３９】
データフローの第２部分データの第２ネットワーク装置への送信が完了する時に、第１指示情報を生成し、その後、第１指示情報を第２ネットワーク装置に送信する。
【００４０】
前記第１指示情報はブランクデータパケットであり、又は、プリセットの識別子を含むデータパケットであってもよい。プリセットの識別子は実際の状況に応じて設定でき、例えば、Ｎ  ｂｉｔのデータであってもよく、該Ｎ  ｂｉｔのデータはプリセットの構成を有し、本実施例では一々列挙しない。
【００４１】
更に、Ｘｎインターフェースによって、前記第１ネットワーク装置から送信された第１指示情報を受信する。
【００４２】
前記方法は、前記コアネットワーク装置から送信された第３部分データを受信することを更に含み、即ち、データフローのベアラの移行する時に、第２ネットワーク装置はコアネットワークから第３部分データを受信し始める。
【００４３】
具体的に、図８に示すように、
データフローのベアラが第１ネットワーク装置から第２ネットワーク装置に移行される時に、前記第１ネットワーク装置からのデータフローの第２部分データを受信して、第１ネットワーク装置からの第１指示情報を受信するステップ８０１と、
前記第１指示情報に基づいて、前記データフローの第２部分データ、及び第３部分データをソートして伝送するステップ８０２と、を含み、
第３部分データは第２ネットワーク装置がコアネットワークから受信したデータであってもよい。
【００４４】
第２ネットワーク装置は前記第１指示情報を受信する時に、移行されたデータフローを新たなベアラで順次伝送し始めることができ、順次伝送とは、前記第２部分データを第３部分データに先立って伝送することであってもよい。
【００４５】
第２部分データがデータフローの移行時に発生するため、第２部分データの順序が第３部分データの前にあり、従って、ソートする時に、第２部分データを第３部分データに先立って伝送することで、データフローのベアラの移行時に乱れないことを確保できる。
【００４６】
以下、図７を参照して上記シーンを説明する。ダウンリンク（ＤＬ）データの場合、１つのＱｏｓデータフロー（Ｆｌｏｗ）１が１つのノードから他のノードに移行され、例えば、ＭＮからＳＮに移行される場合、移行元側ノードのＤＲＢがベアラ変更後でも保持され（アクセス及びモビリティ管理機能（ＡＭＦ）からのＱｏＳデータフロー１の第１部分データであってもよい）、データフロー１の第１部分データは元のベアラによって保持されて端末装置に送信され、移行元側ノードは、ＡＣＫ確認を受信していないＱｏＳデータフロー１の第１部分ＰＤＣＰ  ＰＤＵ、即ちＱｏＳデータフロー１の第１部分データを伝送し続け、同時に、第１ネットワーク装置はコアネットワークからの第２部分データを受信し、ＡＣＫ確認を受信していない残りのＱｏＳデータフロー１の第２部分ＰＤＣＰ  ＰＤＵのＳＮへの伝送が全部完了するまで第２部分データを第２ネットワーク装置（即ちＳＮ）に送信し、移行元側ノード（ＭＮ）がＸｎインターフェースによって第１指示情報を移行先側（ＳＮ）に送信し、ここで、該指示情報は、移行先側が上記移行されたＱｏｓデータフロー（Ｆｌｏｗ）に対して新たなベアラでデータ伝送を行い始めることを指示する。なお、ＳＮ、即ち本実施例における第２ネットワーク装置はデータフローの第２部分データ及び第１指示情報を受信した後、まず第２部分データを伝送し、その後、自体の第３部分データを伝送する。このように、伝送されるデータが乱れないことを確保する。
【００４７】
以上から分かるように、上記技術案によれば、データフローのベアラが第１ネットワーク装置から第２ネットワーク装置に移行される時に、前記第１ネットワーク装置は第１指示情報を第２ネットワーク装置に送信し、前記第１指示情報によって、前記第２ネットワーク装置は移行されたデータフローを新たなベアラで順次伝送し始めることができる。それによって、データフロー移行の発生時、移行先ネットワーク装置側がデータ伝送の順序を確保することができる。
【００４８】
実施例３
本願の実施例はデータを順次提出する方法を提供し、端末装置に適用され、
データフローのベアラが第１ネットワーク装置から第２ネットワーク装置に移行される時に、第１ネットワーク装置からのデータフローの第１部分データを受信することを含む。
【００４９】
本実施例におけるデータフローはＱｏＳデータフローとして理解してもよく、第１ネットワーク装置は移行元ノードであってもよく、第２ネットワーク装置は移行先ノードであってもよい。また、第１ネットワーク装置及び第２ネットワーク装置はそれぞれデュアル接続（ＤＣ）におけるマスターノード（ＭＮ）及びセカンダリノード（ＳＮ）であってもよく、勿論、ＤＣシーンでの他のノードであってもよいが、ここでは重複説明を省略する。
【００５０】
なお、本実施例におけるデータフローはＱｏｓデータフローであってもよい。
【００５１】
また、前記データフローのベアラが第１ネットワーク装置から第２ネットワーク装置に移行される時に、前記第１ネットワーク装置は元のデータ無線ベアラ（ＤＲＢ）を保持し、未確認のデータフローの第１部分データを前記端末装置に伝送し、コアネットワークからの第２部分データを第２ネットワーク装置に転送する。
【００５２】
前記第１ネットワーク装置からのデータフローの第１部分データを受信することは、
前記第１ネットワーク装置との間に元のデータ無線ベアラ（ＤＲＢ）を保持し、前記第１ネットワーク装置から伝送された未確認のデータフローの第１部分データを受信することを含む。
【００５３】
以下、図７を参照して上記シーンを説明する。ダウンリンク（ＤＬ）データの場合、１つのＱｏｓデータフロー（Ｆｌｏｗ）１が１つのノードから他のノードに移行され、例えば、ＭＮからＳＮに移行される場合、移行元側ノードのＤＲＢがベアラ変更後でも保持され（アクセス及びモビリティ管理機能（ＡＭＦ）からのＱｏＳデータフロー１の第１部分データであってもよい）、データフロー１の第１部分データは元のベアラによって保持されて端末装置に送信され、移行元側ノードは、ＡＣＫ確認を受信していないＱｏＳデータフロー１の第１部分ＰＤＣＰ  ＰＤＵ、即ちＱｏＳデータフロー１の第１部分データを伝送し続け、同時に、第１ネットワーク装置はコアネットワークからの第２部分データを受信し、ＡＣＫ確認を受信していない残りのＱｏＳデータフロー１の第２部分ＰＤＣＰ  ＰＤＵのＳＮへの伝送が全部完了するまで第２部分データを第２ネットワーク装置（即ちＳＮ）に送信し、移行元側ノード（ＭＮ）がＸｎインターフェースによって第１指示情報を移行先側（ＳＮ）に送信し、ここで、該指示情報は、移行先側が上記移行されたＱｏｓデータフロー（Ｆｌｏｗ）に対して新たなベアラでデータ伝送を行い始めることを指示する。なお、ＳＮ、即ち本実施例における第２ネットワーク装置はデータフローの第２部分データ及び第１指示情報を受信した後、まず第２部分データを伝送し、その後、自体の第３部分データを伝送する。このように、伝送されるデータが乱れないことを確保する。
【００５４】
以上から分かるように、上記技術案によれば、データフローのベアラが第１ネットワーク装置から第２ネットワーク装置に移行される時に、前記第１ネットワーク装置は第１指示情報を第２ネットワーク装置に送信し、前記第１指示情報によって、前記第２ネットワーク装置は移行されたデータフローを新たなベアラで順次伝送し始めることができる。それによって、データフロー移行の発生時、移行先ネットワーク装置側がデータ伝送の順序を確保することができる。
【００５５】
実施例４
本願の実施例はデータを順次提出する方法を提供し、端末装置に適用され、
データフローのベアラが第１ネットワーク装置から第２ネットワーク装置に移行される時に、前記端末装置は、データフローの第１部分データ、及び移行の発生時にデータフロー内の伝送未完了の第１部分データの伝送が完了したことを指示するための第２指示情報を第１ネットワーク装置に伝送することを含む。
【００５６】
本実施例は、端末装置がアップリンクデータをネットワーク側に送信する時、データフローのベアラ移行が発生するシーンに適用する。
【００５７】
本実施例におけるデータフローはＱｏＳデータフローとして理解してもよく、第１ネットワーク装置は移行元ノードであってもよく、第２ネットワーク装置は移行先ノードであってもよい。また、第１ネットワーク装置及び第２ネットワーク装置はそれぞれデュアル接続（ＤＣ）におけるマスターノード（ＭＮ）及びセカンダリノード（ＳＮ）であってもよく、勿論、ＤＣシーンでの他のノードであってもよいが、ここでは重複説明を省略する。
【００５８】
なお、本実施例におけるデータフローはＱｏｓデータフローであってもよい。
【００５９】
前記端末装置がデータフローの第１部分データを第１ネットワーク装置に伝送することは、
データフローのベアラが第１ネットワーク装置から第２ネットワーク装置に移行される時に、前記第１ネットワーク装置との間のデータ無線ベアラ（ＤＲＢ）を保持し、未確認の前記データフローの第１部分ＰＤＣＰ  ＰＤＵを前記第１ネットワーク装置に送信することを含む。
【００６０】
すなわち、Ｑｏｓデータフロー（Ｆｌｏｗ）が１つのネットワーク装置から他のネットワーク装置に移行され、例えば、ＭＮからＳＮに移行される場合、移行元側ネットワーク装置のＤＲＢがベアラ変更後でも保持され、ＵＥ内の移行元側ノードに対応するプロトコルスタックはＡＣＫ確認を受信していないデータフローの第１部分ＰＤＣＰ  ＰＤＵを元のベアラによって第１ネットワーク装置（例えば、ＭＮ）に伝送し続ける。
【００６１】
また、上記技術案を実行すると同時に、前記端末装置はデータフローの第２部分データを第２ネットワーク装置に伝送する。
【００６２】
前記端末装置によるデータフローの第１部分データの第１ネットワーク装置への伝送が完了する時に、第２指示情報を生成し、その後、第２指示情報を第１ネットワーク装置に送信する。
【００６３】
前記第２指示情報はブランクデータパケットであり、又は、プリセットの識別子を含むデータパケットであってもよい。プリセットの識別子は実際の状況に応じて設定でき、例えば、Ｎ  ｂｉｔのデータであってもよく、該Ｎ  ｂｉｔのデータはプリセットの構成を有し、本実施例では一々列挙しない。
【００６４】
以下、図９を参照して上記シーンを説明する。ＵＬの場合、まず、ＳＮノードを確立する時又はベアラが変更する時、ＭＮとＳＮの間のＸｎインターフェースで、移行元側が受信した転送データを伝送するためのＧＴＰトンネルを確立する。
【００６５】
１つのＱｏｓデータフロー（Ｆｌｏｗ）のベアラが１つのノードから他のノードに移行され、例えば、ＭＮからＳＮに移行される場合、移行元側ノードのＤＲＢがベアラ変更後でも保持され、端末とポンプ内の移行元側ノードに対応するプロトコルスタックはＡＣＫ確認を受信していないＰＤＣＰ  ＰＤＵを伝送し続け、図示するように、端末装置はデータフロー１の第１部分データをＭＮに送信し続け、データフロー１の第１部分データの伝送が完了するまで、第２指示情報を移行元側ノードに伝送し、
前記第２指示情報は第１部分データの最後のデータパケット内に位置してもよく、該第２指示情報は該移行されたＱｏｓデータフロー（Ｆｌｏｗ）の伝送未完了のデータの伝送が完了したことを移行元側ノードに通知することに用いられる。
【００６６】
移行元側ノードは受信したデータフロー１の第１部分データ、例えばＳＤＡＰ  ＳＤＵ、及びＳＤＡＰ  ｅｎｄ  ｍａｒｋｅｒである第２指示情報を、Ｘｎインターフェースによって移行先側ノード（ＳＮ）に伝送し、移行先側ノード（ＳＮ）はまず移行元側ノードからのデータＳＤＡＰ  ＳＤＵをコアネットワークに送信し、第２指示情報を受信した後、該側データによって受信されたデータフロー１の第２部分データをコアネットワークに送信する。
【００６７】
移行元側ノードはデータフロー１の第１部分データを受信し、例えば、ＳＤＡＰ  ＳＤＵ及びＳＤＡＰ  ｅｎｄ  ｍａｒｋｅｒである第２指示情報を受信し、前記移行元側ノードはまず、受信したＳＤＡＰ  ＳＤＵを、該ノードとコアネットワークの間のＰＤＵ  ｓｅｓｓｉｏｎに対応するＧＴＰトンネルによってコアネットワークに送信し、その後、ＳＤＡＰ  ｅｎｄ  ｍａｒｋｅｒをＸｎインターフェースによって移行先側に伝送し、移行先側はｅｎｄ  ｍａｒｋｅｒ指示を受信した後、該側によって受信されたデータをコアネットワークに送信する。
【００６８】
以上から分かるように、上記技術案によれば、データフローのベアラが第１ネットワーク装置から第２ネットワーク装置に移行される時に、指示情報を第２ネットワーク装置に送信することで、前記第２ネットワーク装置は移行されたデータフローを新たなベアラで順次伝送し始めることができる。それによって、データフロー移行の発生時、移行先ネットワーク装置側がデータ伝送の順序を確保することができる。
【００６９】
実施例５
本願の実施例はデータを順次提出する方法を提供し、第１ネットワーク装置に適用され、図１０に示すように、
データフローのベアラが第１ネットワーク装置から第２ネットワーク装置に移行される時に、端末装置からのデータフローの第１部分データ、及び端末装置からの、移行の発生時にデータフロー内の伝送未完了の第１部分データの伝送が完了したことを指示するための第２指示情報を受信するステップ１００１と、
前記データフローの第１部分データ及び前記第２指示情報を第２ネットワーク装置に送信し、又は、前記データフローの第１部分データをコアネットワークに送信して、前記第２指示情報を第２ネットワーク装置に送信するステップ１００２と、を含む。
【００７０】
本実施例は、端末装置がアップリンクデータをネットワーク側に送信する時、データフローのベアラ移行が発生するシーンに適用する。
【００７１】
本実施例におけるデータフローはＱｏＳデータフローとして理解してもよく、第１ネットワーク装置は移行元ノードであってもよく、第２ネットワーク装置は移行先ノードであってもよい。また、第１ネットワーク装置及び第２ネットワーク装置はそれぞれデュアル接続（ＤＣ）におけるマスターノード（ＭＮ）及びセカンダリノード（ＳＮ）であってもよく、勿論、ＤＣシーンでの他のノードであってもよいが、ここでは重複説明を省略する。
【００７２】
なお、本実施例におけるデータフローはＱｏｓデータフローであってもよい。
【００７３】
前記端末装置からのデータフローの第１部分データを受信することは、
データフローのベアラが第１ネットワーク装置から第２ネットワーク装置に移行される時に、前記第１ネットワーク装置のデータ無線ベアラ（ＤＲＢ）を保持し続け、端末装置からの未確認の前記データフローの第１部分ＰＤＣＰ  ＰＤＵを受信することを含む。
【００７４】
すなわち、Ｑｏｓデータフロー（Ｆｌｏｗ）が１つのネットワーク装置から他のネットワーク装置に移行され、例えば、ＭＮからＳＮに移行される場合、移行元側ネットワーク装置のＤＲＢがベアラ変更後でも保持され、ＵＥ内の移行元側ノードに対応するプロトコルスタックはＡＣＫ確認を受信していないデータフローの第１部分ＰＤＣＰ  ＰＤＵを元のベアラによって第１ネットワーク装置（例えば、ＭＮ）に伝送し続ける。
【００７５】
また、上記技術案を実行すると同時に、前記端末装置はデータフローの第２部分データを第２ネットワーク装置に伝送する。
【００７６】
前記端末装置によるデータフローの第１部分データの第１ネットワーク装置への伝送が完了する時に、第２指示情報を生成し、その後、第２指示情報を第１ネットワーク装置に送信する。
【００７７】
前記第２指示情報はブランクデータパケットであり、又は、プリセットの識別子を含むデータパケットであってもよい。プリセットの識別子は実際の状況に応じて設定でき、例えば、Ｎ  ｂｉｔのデータであってもよく、該Ｎ  ｂｉｔのデータはプリセットの構成を有し、本実施例では一々列挙しない。
【００７８】
前記データフローの第１部分データ、及び前記第２指示情報を第２ネットワーク装置に送信することは、前記データフローの第１部分データ、及び前記第２指示情報を、Ｘｎインターフェースによって第２ネットワーク装置に送信することを含み、
又は、
前記データフローの第１部分データをコアネットワークに送信して、前記第２指示情報を第２ネットワーク装置に送信することは、
前記データフローの第１部分データをコアネットワークとの間のＧＴＰトンネルによってコアネットワークに送信することと、
前記第２指示情報をＸｎインターフェースによって第２ネットワーク装置に送信することと、を含む。
【００７９】
前記方法は、Ｘｎインターフェースで、第２ネットワーク装置との間の、第２ネットワーク装置にデータを転送するためのＧＴＰトンネルを確立することを更に含む。
【００８０】
即ち、第１ネットワーク装置は端末装置が元のベアラに基づいて送信した第１部分データ及び第２指示を受信する時に、これらの情報を第２ネットワーク装置との間のＸｎインターフェースで確立されたＧＴＰトンネルによって第２ネットワーク装置にリアルタイムに送信する。それによって、第２ネットワーク装置は第１部分データ及び自体によって受信された第２部分データをソートした後、上位層に提出する。
【００８１】
以下、図９を参照して上記シーンを説明する。ＵＬの場合、まず、ＳＮノードを確立する時又はベアラが変更する時、ＭＮとＳＮの間のＸｎインターフェースで、移行元側が受信した転送データを伝送するためのＧＴＰトンネルを確立する。
【００８２】
１つのＱｏｓデータフロー（Ｆｌｏｗ）のベアラが１つのノードから他のノードに移行され、例えば、ＭＮからＳＮに移行される場合、移行元側ノードのＤＲＢがベアラ変更後でも保持され、端末とポンプ内の移行元側ノードに対応するプロトコルスタックはＡＣＫ確認を受信していないＰＤＣＰ  ＰＤＵを伝送し続け、図示するように、端末装置はデータフロー１の第１部分データをＭＮに送信し続け、データフロー１の第１部分データの伝送が完了するまで、第２指示情報を移行元側ノードに伝送し、
前記第２指示情報は第１部分データの最後のデータパケット内に位置してもよく、該第２指示情報は該移行されたＱｏｓデータフロー（Ｆｌｏｗ）の伝送未完了のデータの伝送が完了したことを移行元側ノードに通知することに用いられる。
【００８３】
移行元側ノードは受信したデータフロー１の第１部分データ、例えばＳＤＡＰ  ＳＤＵ、及びＳＤＡＰ  ｅｎｄ  ｍａｒｋｅｒである第２指示情報を、Ｘｎインターフェースによって移行先側ノード（ＳＮ）に伝送し、移行先側ノード（ＳＮ）はまず、移行元側ノードからのデータＳＤＡＰ  ＳＤＵをコアネットワークに送信し、第２指示情報を受信した後、該側によって受信されたデータフロー１の第２部分データをコアネットワークに送信する。
【００８４】
又は、移行元側ノードはデータフロー１の第１部分データを受信し、例えば、ＳＤＡＰ  ＳＤＵ及びＳＤＡＰ  ｅｎｄ  ｍａｒｋｅｒである第２指示情報を受信し、前記移行元側ノードはまず、受信したＳＤＡＰ  ＳＤＵを該ノードとコアネットワークの間のＰＤＵ  ｓｅｓｓｉｏｎに対応するＧＴＰトンネルによってコアネットワークに送信し、その後、ＳＤＡＰ  ｅｎｄ  ｍａｒｋｅｒをＸｎインターフェースによって移行先側に伝送し、移行先側は第２指示情報であるＳＤＡＰ  ｅｎｄ  ｍａｒｋｅｒ指示を受信した後、該側によって受信されたデータをコアネットワークに送信する。
【００８５】
以上から分かるように、上記技術案によれば、データフローのベアラが第１ネットワーク装置から第２ネットワーク装置に移行される時に、指示情報を第２ネットワーク装置に送信することで、前記第２ネットワーク装置は移行されたデータフローを新たなベアラで順次伝送し始めることができる。それによって、データフロー移行の発生時、移行先ネットワーク装置側がデータ伝送の順序を確保することができる。
【００８６】
実施例６
本願の実施例はデータを順次提出する方法を提供し、第２ネットワーク装置に適用され、図１１に示すように、
データフローのベアラが第１ネットワーク装置から第２ネットワーク装置に移行される時に、第１ネットワーク装置からのデータフローの第１部分データ及び第２指示情報を受信し、又は、第１ネットワーク装置からの第２指示情報を受信し、前記第２指示情報は移行の発生時にデータフロー内の伝送未完了の第１部分データの伝送が完了したことを指示するためのものであるステップ１１０１と、
前記第２指示情報に基づいて、前記第２ネットワーク装置が前記第１部分データをコアネットワークに提出した後、データフローの第２部分データをコアネットワークに提出するステップ１１０２と、を含む。
【００８７】
本実施例は、端末装置がアップリンクデータをネットワーク側に送信する時、データフローのベアラ移行が発生するシーンに適用する。
【００８８】
本実施例におけるデータフローはＱｏＳデータフローとして理解してもよく、第１ネットワーク装置は移行元ノードであってもよく、第２ネットワーク装置は移行先ノードであってもよい。また、第１ネットワーク装置及び第２ネットワーク装置はそれぞれデュアル接続（ＤＣ）におけるマスターノード（ＭＮ）及びセカンダリノード（ＳＮ）であってもよく、勿論、ＤＣシーンでの他のノードであってもよいが、ここでは重複説明を省略する。
【００８９】
なお、本実施例におけるデータフローはＱｏｓデータフローであってもよい。
【００９０】
データフローのベアラが第１ネットワーク装置から第２ネットワーク装置に移行される時に、前記第１ネットワーク装置のデータ無線ベアラ（ＤＲＢ）を保持し続け、端末装置からの未確認の前記データフローの第１部分ＰＤＣＰ  ＰＤＵを受信する。即ち、Ｑｏｓデータフロー（Ｆｌｏｗ）が１つのネットワーク装置から他のネットワーク装置に移行され、例えば、ＭＮからＳＮに移行される場合、移行元側ネットワーク装置のＤＲＢがベアラ変更後でも保持され、ＵＥ内の移行元側ノードに対応するプロトコルスタックはＡＣＫ確認を受信していないデータフローの第１部分ＰＤＣＰ  ＰＤＵを元のベアラによって第１ネットワーク装置（例えば、ＭＮ）に伝送し続ける。
【００９１】
また、上記技術案を実行すると同時に、前記端末装置がデータフローの第２部分データを第２ネットワーク装置に伝送する。
【００９２】
前記端末装置によるデータフローの第１部分データの第１ネットワーク装置への伝送が完了する時に、第２指示情報を生成し、その後、第２指示情報を第１ネットワーク装置に送信する。
【００９３】
前記第２指示情報はブランクデータパケットであり、又は、プリセットの識別子を含むデータパケットであってもよい。プリセットの識別子は実際の状況に応じて設定でき、例えば、Ｎ  ｂｉｔのデータであってもよく、該Ｎ  ｂｉｔのデータはプリセットの構成を有し、本実施例では一々列挙しない。
【００９４】
前記第１ネットワーク装置からのデータフローの第１部分データ、及び第２指示情報を受信することは、Ｘｎインターフェースによって、第１ネットワーク装置からのデータフローの第１部分データ、及び第２指示情報を受信することを含み、
又は、前記第１ネットワーク装置からの第２指示情報を受信することは、
Ｘｎインターフェースによって、第１ネットワーク装置からのデータフローの第２指示情報を受信することを含む。
【００９５】
前記方法は、Ｘｎインターフェースで、第１ネットワーク装置との間の、第１ネットワーク装置から送信されたデータを受信するためのＧＴＰトンネルを確立することを更に含む。
【００９６】
前記方法は、第２指示情報を受信したか否かを判断し、受信していない場合、前記データフローの第２部分データをコアネットワークに送信しないまま維持し、受信した場合、前記第１部分データをコアネットワークに送信した後、受信したデータフローの第２部分データをコアネットワークに提出するように制御することを更に含む。即ち、第１ネットワーク装置は端末装置が元のベアラに基づいて送信した第１部分データ及び第２指示を受信する時に、これらの情報を第２ネットワーク装置との間のＸｎインターフェースで確立されたＧＴＰトンネルによって第２ネットワーク装置にリアルタイムに送信する。第２ネットワーク装置は第１部分データ及び自体によって受信された第２部分データをソートした後、上位層に提出する。
【００９７】
以下、図９を参照して上記シーンを説明する。ＵＬの場合、まず、ＳＮノードを確立する時又はベアラが変更する時、ＭＮとＳＮの間のＸｎインターフェースで、移行元側が受信した転送データを伝送するためのＧＴＰトンネルを確立する。
【００９８】
１つのＱｏｓデータフロー（Ｆｌｏｗ）のベアラが１つのノードから他のノードに移行され、例えば、ＭＮからＳＮに移行される場合、移行元側ノードのＤＲＢがベアラ変更後でも保持され、端末とポンプ内の移行元側ノードに対応するプロトコルスタックはＡＣＫ確認を受信していないＰＤＣＰ  ＰＤＵを伝送し続け、図示するように、端末装置はデータフロー１の第１部分データをＭＮに送信し続け、データフロー１の第１部分データの伝送が完了するまで、第２指示情報を移行元側ノードに伝送し、
前記第２指示情報は第１部分データの最後のデータパケット内に位置してもよく、該第２指示情報は該移行されたＱｏｓデータフロー（Ｆｌｏｗ）の伝送未完了のデータの伝送が完了したことを移行元側ノードに通知することに用いられる。
【００９９】
移行元側ノードは受信したデータフロー１の第１部分データ、例えば、ＳＤＡＰ  ＳＤＵ、及びＳＤＡＰ  ｅｎｄ  ｍａｒｋｅｒである第２指示情報を、Ｘｎインターフェースによって移行先側ノード（ＳＮ）に伝送し、移行先側ノード（ＳＮ）はまず、移行元側ノードからのデータＳＤＡＰ  ＳＤＵをコアネットワークに送信し、第２指示情報を受信した後、該側によって受信されたデータフロー１の第２部分データをコアネットワークに送信する。
【０１００】
又は、移行元側ノードはデータフロー１の第１部分データを受信し、例えば、ＳＤＡＰ  ＳＤＵ及びＳＤＡＰ  ｅｎｄ  ｍａｒｋｅｒである第２指示情報を受信し、前記移行元側ノードはまず、受信したＳＤＡＰ  ＳＤＵを該ノードとコアネットワークの間のＰＤＵ  ｓｅｓｓｉｏｎに対応するＧＴＰトンネルによってコアネットワークに送信し、その後、ＳＤＡＰ  ｅｎｄ  ｍａｒｋｅｒをＸｎインターフェースによって移行先側に伝送し、移行先側は第２指示情報であるＳＤＡＰ  ｅｎｄ  ｍａｒｋｅｒ指示を受信した後、該側によって受信されたデータをコアネットワークに送信する。
【０１０１】
以上から分かるように、上記技術案によれば、データフローのベアラが第１ネットワーク装置から第２ネットワーク装置に移行される時に、指示情報を第２ネットワーク装置に送信することで、前記第２ネットワーク装置は移行されたデータフローを新たなベアラで順次伝送し始めることができる。それによって、データフロー移行の発生時、移行先ネットワーク装置側がデータ伝送の順序を確保することができる。
【０１０２】
実施例７
本願の実施例は第１ネットワーク装置を提供し、第１通信ユニットを備え、
前記第１通信ユニットは、データフローのベアラが第１ネットワーク装置から第２ネットワーク装置に移行される時に、前記第１ネットワーク装置が、前記第２ネットワーク装置が移行されたデータフローを新たなベアラで順次伝送し始めることを指示するための第１指示情報を、前記第２ネットワーク装置に送信する。
【０１０３】
本実施例におけるデータフローはＱｏＳデータフローとして理解してもよく、第１ネットワーク装置は移行元ノードであってもよく、第２ネットワーク装置は移行先ノードであってもよい。また、第１ネットワーク装置及び第２ネットワーク装置はそれぞれデュアル接続（ＤＣ）におけるマスターノード（ＭＮ）及びセカンダリノード（ＳＮ）であってもよく、勿論、ＤＣシーンでの他のノードであってもよいが、ここでは重複説明を省略する。
【０１０４】
なお、本実施例におけるデータフローはＱｏｓデータフローであってもよい。
【０１０５】
また、前記データフローのベアラが第１ネットワーク装置から第２ネットワーク装置に移行される時に、第１通信ユニットは、元のデータ無線ベアラ（ＤＲＢ）を保持し、未確認のデータフローの第１部分データを前記端末装置に伝送し、コアネットワークからの第２部分データを第２ネットワーク装置に転送する。
【０１０６】
未確認とは受信側から送信されたＡＣＫ確認情報の部分データを受信していないことであってもよく、且つ、前記データフローの第２部分データはデータフローが第１ネットワーク装置から第２ネットワーク装置に移行される時に同時に、まだ第１ネットワーク装置に存在するデータである。
【０１０７】
この場合、第２部分データの送信が完了するまで、第２部分データを第２ネットワーク装置に送信し続ける第１通信ユニットを更に備えてもよい。
【０１０８】
データフローの第２部分データの第２ネットワーク装置への送信が完了する時に、第１指示情報を生成し、その後、第１指示情報を第２ネットワーク装置に送信する。
【０１０９】
前記第１指示情報はブランクデータパケットであり、又は、プリセットの識別子を含むデータパケットであってもよい。プリセットの識別子は実際の状況に応じて設定でき、例えば、Ｎ  ｂｉｔのデータであってもよく、該Ｎ  ｂｉｔのデータはプリセットの構成を有し、本実施例では一々列挙しない。
【０１１０】
更に、前記第１通信ユニットは、Ｘｎインターフェースによって、第１指示情報を第２ネットワーク装置に送信する。
【０１１１】
以下、図７を参照して上記シーンを説明する。ダウンリンク（ＤＬ）データの場合、１つのＱｏｓデータフロー（Ｆｌｏｗ）１が１つのノードから他のノードに移行され、例えば、ＭＮからＳＮに移行される場合、移行元側ノードのＤＲＢがベアラ変更後でも保持され（アクセス及びモビリティ管理機能（ＡＭＦ）からのＱｏＳデータフロー１の第１部分データであってもよい）、データフロー１の第１部分データは元のベアラによって保持されて端末装置に送信され、移行元側ノードは、ＡＣＫ確認を受信していないＱｏＳデータフロー１の第１部分ＰＤＣＰ  ＰＤＵ、即ちＱｏＳデータフロー１の第１部分データを伝送し続け、同時に、第１ネットワーク装置はコアネットワークからの第２部分データを受信し、ＡＣＫ確認を受信していない残りのＱｏＳデータフロー１の第２部分ＰＤＣＰ  ＰＤＵのＳＮへの伝送が全部完了するまで第２部分データを第２ネットワーク装置（即ちＳＮ）に送信し、移行元側ノード（ＭＮ）はＸｎインターフェースによって第１指示情報を移行先側（ＳＮ）に送信し、ここで、該指示情報は、移行先側が上記移行されたＱｏｓデータフロー（Ｆｌｏｗ）に対して新たなベアラでデータ伝送を行い始めることを指示する。なお、ＳＮ、即ち本実施例における第２ネットワーク装置はデータフローの第２部分データ及び第１指示情報を受信した後、まず第２部分データを伝送し、その後、自体の第３部分データを伝送する。このように、伝送されるデータが乱れないことを確保する。
【０１１２】
以上から分かるように、上記技術案によれば、データフローのベアラが第１ネットワーク装置から第２ネットワーク装置に移行される時に、前記第１ネットワーク装置は第１指示情報を第２ネットワーク装置に送信し、前記第１指示情報によって、前記第２ネットワーク装置は移行されたデータフローを新たなベアラで順次伝送し始めることができる。それによって、データフロー移行の発生時、移行先ネットワーク装置側がデータ伝送の順序を確保することができる。
【０１１３】
実施例８
本願の実施例は第２ネットワーク装置を提供し、図１２に示すように、
データフローのベアラが第１ネットワーク装置から第２ネットワーク装置に移行される時に、第１ネットワーク装置からの、前記第２ネットワーク装置が移行されたデータフローを新たなベアラで順次伝送し始めることを指示するための第１指示情報を受信する第２通信ユニット１２０１を備える。
【０１１４】
本実施例におけるデータフローはＱｏＳデータフローとして理解してもよく、第１ネットワーク装置は移行元ノードであってもよく、第２ネットワーク装置は移行先ノードであってもよい。また、第１ネットワーク装置及び第２ネットワーク装置はそれぞれデュアル接続（ＤＣ）におけるマスターノード（ＭＮ）及びセカンダリノード（ＳＮ）であってもよく、勿論、ＤＣシーンでの他のノードであってもよいが、ここでは重複説明を省略する。
【０１１５】
なお、本実施例におけるデータフローはＱｏｓデータフローであってもよい。
【０１１６】
また、前記データフローのベアラが第１ネットワーク装置から第２ネットワーク装置に移行される時に、前記第１ネットワーク装置は元のデータ無線ベアラ（ＤＲＢ）を保持し、第２部分データを第２ネットワーク装置に伝送する。
【０１１７】
データフローの第２部分データの第２ネットワーク装置への送信が完了する時に、第１指示情報を生成し、その後、第１指示情報を第２ネットワーク装置に送信する。
【０１１８】
前記第１指示情報はブランクデータパケットであり、又は、プリセットの識別子を含むデータパケットであってもよい。プリセットの識別子は実際の状況に応じて設定でき、例えば、Ｎ  ｂｉｔのデータであってもよく、該Ｎ  ｂｉｔのデータはプリセットの構成を有し、本実施例では一々列挙しない。
【０１１９】
更に、第２通信ユニット１２０１は、Ｘｎインターフェースによって、前記第１ネットワーク装置から送信された第１指示情報を受信する。
【０１２０】
第２ネットワーク装置が前記第１指示情報を受信する時に、第２通信ユニット１２０１は移行されたデータフローを新たなベアラで順次伝送できる。
【０１２１】
前記第２ネットワーク装置は、
前記第１指示情報に基づいて、前記データフローの第１部分データ、及び第２部分データをソートして伝送する第２処理ユニット１２０２を更に備える。
【０１２２】
第２通信ユニット１２０１は、前記コアネットワーク装置から送信された第３部分データを受信し、即ち、データフローのベアラの移行時、第２ネットワーク装置はコアネットワークから第３部分データを受信し始める。
【０１２３】
第２ネットワーク装置は前記第１指示情報を受信した場合、移行されたデータフローを新たなベアラで順次伝送し始めることができ、順次伝送とは、前記第２部分データを第３部分データに先立って伝送することであってもよい。
【０１２４】
第２部分データがデータフローの移行時に発生するため、第２部分データの順序が第３部分データの前にあり、従って、ソートする時に、第２部分データを第３部分データに先立って伝送することで、データフローのベアラの移行時に乱れないことを確保できる。
【０１２５】
以下、図７を参照して上記シーンを説明する。ダウンリンク（ＤＬ）データの場合、１つのＱｏｓデータフロー（Ｆｌｏｗ）１が１つのノードから他のノードに移行され、例えば、ＭＮからＳＮに移行される場合、移行元側ノードのＤＲＢがベアラ変更後でも保持され（アクセス及びモビリティ管理機能（ＡＭＦ）からのＱｏＳデータフロー１の第１部分データであってもよい）、データフロー１の第１部分データは元のベアラによって保持されて端末装置に送信され、移行元側ノードは、ＡＣＫ確認を受信していないＱｏＳデータフロー１の第１部分ＰＤＣＰ  ＰＤＵ、即ちＱｏＳデータフロー１の第１部分データを伝送し続け、同時に、第１ネットワーク装置はコアネットワークからの第２部分データを受信し、ＡＣＫ確認を受信していない残りのＱｏＳデータフロー１の第２部分ＰＤＣＰ  ＰＤＵのＳＮへの伝送が全部完了するまで第２部分データを第２ネットワーク装置（即ちＳＮ）に送信し、移行元側ノード（ＭＮ）がＸｎインターフェースによって第１指示情報を移行先側（ＳＮ）に送信し、ここで、該指示情報は、移行先側が上記移行されたＱｏｓデータフロー（Ｆｌｏｗ）に対して新たなベアラでデータ伝送を行い始めることを指示する。なお、ＳＮ、即ち本実施例における第２ネットワーク装置はデータフローの第２部分データ及び第１指示情報を受信した後、まず第２部分データを伝送し、その後、自体の第３部分データを伝送する。このように、伝送されるデータが乱れないことを確保する。
【０１２６】
以上から分かるように、上記技術案によれば、データフローのベアラが第１ネットワーク装置から第２ネットワーク装置に移行される時に、前記第１ネットワーク装置は第１指示情報を第２ネットワーク装置に送信し、前記第１指示情報によって、前記第２ネットワーク装置は移行されたデータフローを新たなベアラで順次伝送し始めることができる。それによって、データフロー移行の発生時、移行先ネットワーク装置側がデータ伝送の順序を確保することができる。
【０１２７】
実施例９
本願の実施例は端末装置を提供し、
データフローのベアラが第１ネットワーク装置から第２ネットワーク装置に移行される時に、第１ネットワーク装置からのデータフローの第１部分データを受信する第６通信ユニットを備える。
【０１２８】
本実施例におけるデータフローはＱｏＳデータフローとして理解してもよく、第１ネットワーク装置は移行元ノードであってもよく、第２ネットワーク装置は移行先ノードであってもよい。また、第１ネットワーク装置及び第２ネットワーク装置はそれぞれデュアル接続（ＤＣ）におけるマスターノード（ＭＮ）及びセカンダリノード（ＳＮ）であってもよく、勿論、ＤＣシーンでの他のノードであってもよいが、ここでは重複説明を省略する。
【０１２９】
なお、本実施例におけるデータフローはＱｏｓデータフローであってもよい。
【０１３０】
また、前記データフローのベアラが第１ネットワーク装置から第２ネットワーク装置に移行される時に、前記第１ネットワーク装置は元のデータ無線ベアラ（ＤＲＢ）を保持し、未確認のデータフローの第１部分データを前記端末装置に伝送し、コアネットワークからの第２部分データを第２ネットワーク装置に転送する。
【０１３１】
前記第６通信ユニットは、前記第１ネットワーク装置との間に元のデータ無線ベアラ（ＤＲＢ）を保持し、前記第１ネットワーク装置から伝送された未確認のデータフローの第１部分データを受信する。
【０１３２】
以下、図７を参照して上記シーンを説明する。ダウンリンク（ＤＬ）データの場合、１つのＱｏｓデータフロー（Ｆｌｏｗ）１が１つのノードから他のノードに移行され、例えば、ＭＮからＳＮに移行される場合、移行元側ノードのＤＲＢがベアラ変更後でも保持され（アクセス及びモビリティ管理機能（ＡＭＦ）からのＱｏＳデータフロー１の第１部分データであってもよい）、データフロー１の第１部分データは元のベアラによって保持されて端末装置に送信され、移行元側ノードは、ＡＣＫ確認を受信していないＱｏＳデータフロー１の第１部分ＰＤＣＰ  ＰＤＵ、即ちＱｏＳデータフロー１の第１部分データを伝送し続け、同時に、第１ネットワーク装置はコアネットワークからの第２部分データを受信し、ＡＣＫ確認を受信していない残りのＱｏＳデータフロー１の第２部分ＰＤＣＰ  ＰＤＵのＳＮへの伝送が全部完了するまで第２部分データを第２ネットワーク装置（即ちＳＮ）に送信し、移行元側ノード（ＭＮ）はＸｎインターフェースによって第１指示情報を移行先側（ＳＮ）に送信し、ここで、該指示情報は、移行先側が上記移行されたＱｏｓデータフロー（Ｆｌｏｗ）に対して新たなベアラでデータ伝送を行い始めることを指示する。なお、ＳＮ、即ち本実施例における第２ネットワーク装置はデータフローの第２部分データ及び第１指示情報を受信した後、まず第２部分データを伝送し、その後、自体の第３部分データを伝送する。このように、伝送されるデータが乱れないことを確保する。
【０１３３】
以上から分かるように、上記技術案によれば、データフローのベアラが第１ネットワーク装置から第２ネットワーク装置に移行される時に、前記第１ネットワーク装置は第１指示情報を第２ネットワーク装置に送信し、前記第１指示情報によって、前記第２ネットワーク装置は移行されたデータフローを新たなベアラで順次伝送し始めることができる。それによって、データフロー移行の発生時、移行先ネットワーク装置側がデータ伝送の順序を確保することができる。
【０１３４】
実施例１０
本願の実施例は端末装置を提供し、第３通信ユニットを備え、
前記第３通信ユニットは、データフローのベアラが第１ネットワーク装置から第２ネットワーク装置に移行される時に、前記端末装置が、データフローの第１部分データ、及び移行の発生時にデータフロー内の伝送未完了の第１部分データの伝送が完了したことを指示するための第２指示情報を第１ネットワーク装置に伝送する。
【０１３５】
本実施例は、端末装置がアップリンクデータをネットワーク側に送信する時、データフローのベアラ移行が発生するシーンに適用する。
【０１３６】
本実施例におけるデータフローはＱｏＳデータフローとして理解してもよく、第１ネットワーク装置は移行元ノードであってもよく、第２ネットワーク装置は移行先ノードであってもよい。また、第１ネットワーク装置及び第２ネットワーク装置はそれぞれデュアル接続（ＤＣ）におけるマスターノード（ＭＮ）及びセカンダリノード（ＳＮ）であってもよく、勿論、ＤＣシーンでの他のノードであってもよいが、ここでは重複説明を省略する。
【０１３７】
なお、本実施例におけるデータフローはＱｏｓデータフローであってもよい。
【０１３８】
第３通信ユニットは、データフローのベアラが第１ネットワーク装置から第２ネットワーク装置に移行される時に、前記第１ネットワーク装置との間のデータ無線ベアラ（ＤＲＢ）を保持し、未確認の前記データフローの第１部分ＰＤＣＰ  ＰＤＵを前記第１ネットワーク装置に送信する。
【０１３９】
すなわち、Ｑｏｓデータフロー（Ｆｌｏｗ）が１つのネットワーク装置から他のネットワーク装置に移行され、例えば、ＭＮからＳＮに移行される場合、移行元側ネットワーク装置のＤＲＢがベアラ変更後でも保持され、ＵＥ内の移行元側ノードに対応するプロトコルスタックはＡＣＫ確認を受信していないデータフローの第１部分ＰＤＣＰ  ＰＤＵを元のベアラによって第１ネットワーク装置（例えば、ＭＮ）に伝送し続ける。
【０１４０】
また、上記技術案を実行すると同時に、第３通信ユニットはデータフローの第２部分データを第２ネットワーク装置に伝送する。
【０１４１】
第３通信ユニットは、データフローの第１部分データの第１ネットワーク装置への伝送が完了する時に、第２指示情報を生成し、その後、第２指示情報を第１ネットワーク装置に送信する。
【０１４２】
前記第２指示情報はブランクデータパケットであり、又は、プリセットの識別子を含むデータパケットであってもよい。プリセットの識別子は実際の状況に応じて設定でき、例えば、Ｎ  ｂｉｔのデータであってもよく、該Ｎ  ｂｉｔのデータはプリセットの構成を有し、本実施例では一々列挙しない。
【０１４３】
以下、図９を参照して上記シーンを説明する。ＵＬの場合、まず、ＳＮノードを確立する時又はベアラが変更する時、ＭＮとＳＮの間のＸｎインターフェースで、移行元側が受信した転送データを伝送するためのＧＴＰトンネルを確立する。
【０１４４】
１つのＱｏｓデータフロー（Ｆｌｏｗ）のベアラが１つのノードから他のノードに移行され、例えば、ＭＮからＳＮに移行される場合、移行元側ノードのＤＲＢがベアラ変更後でも保持され、端末とポンプ内の移行元側ノードに対応するプロトコルスタックはＡＣＫ確認を受信していないＰＤＣＰ  ＰＤＵを伝送し続け、図示するように、端末装置はデータフロー１の第１部分データをＭＮに送信し続け、データフロー１の第１部分データの伝送が完了するまで、第２指示情報を移行元側ノードに伝送し、
前記第２指示情報は第１部分データの最後のデータパケット内に位置してもよく、該第２指示情報は該移行されたＱｏｓデータフロー（Ｆｌｏｗ）の伝送未完了のデータの伝送が完了したことを移行元側ノードに通知することに用いられる。
【０１４５】
移行元側ノードは、受信したデータフロー１の第１部分データ、例えば、ＳＤＡＰ  ＳＤＵ、及びＳＤＡＰ  ｅｎｄ  ｍａｒｋｅｒである第２指示情報を、Ｘｎインターフェースによって移行先側ノード（ＳＮ）に伝送し、移行先側ノード（ＳＮ）はまず、移行元側ノードからのデータＳＤＡＰ  ＳＤＵをコアネットワークに送信し、第２指示情報を受信した後、該側データによって受信されたデータフロー１の第２部分データをコアネットワークに送信する。
【０１４６】
以上から分かるように、上記技術案によれば、データフローのベアラが第１ネットワーク装置から第２ネットワーク装置に移行される時に、指示情報を第２ネットワーク装置に送信することで、前記第２ネットワーク装置は移行されたデータフローを新たなベアラで順次伝送し始めることができる。それによって、データフロー移行の発生時、移行先ネットワーク装置側がデータ伝送の順序を確保することができる。
【０１４７】
実施例１１
本願の実施例は第１ネットワーク装置を提供し、
データフローのベアラが第１ネットワーク装置から第２ネットワーク装置に移行される時に、端末装置からのデータフローの第１部分データ、及び端末装置からの、移行の発生時にデータフロー内の伝送未完了の第１部分データの伝送が完了したことを指示するための第２指示情報を受信し、前記データフローの第１部分データ及び前記第２指示情報を第２ネットワーク装置に送信し、又は、前記データフローの第１部分データをコアネットワークに送信して、前記第２指示情報を第２ネットワーク装置に送信する第４通信ユニットを備える。
【０１４８】
本実施例は、端末装置がアップリンクデータをネットワーク側に送信する時、データフローのベアラ移行が発生するシーンに適用する。
【０１４９】
本実施例におけるデータフローはＱｏＳデータフローとして理解してもよく、第１ネットワーク装置は移行元ノードであってもよく、第２ネットワーク装置は移行先ノードであってもよい。また、第１ネットワーク装置及び第２ネットワーク装置はそれぞれデュアル接続（ＤＣ）におけるマスターノード（ＭＮ）及びセカンダリノード（ＳＮ）であってもよく、勿論、ＤＣシーンでの他のノードであってもよいが、ここでは重複説明を省略する。
【０１５０】
なお、本実施例におけるデータフローはＱｏｓデータフローであってもよい。
【０１５１】
第４通信ユニットは、データフローのベアラが第１ネットワーク装置から第２ネットワーク装置に移行される時に、データ無線ベアラ（ＤＲＢ）を保持し続け、端末装置からの未確認の前記データフローの第１部分ＰＤＣＰ  ＰＤＵを受信する。
【０１５２】
すなわち、Ｑｏｓデータフロー（Ｆｌｏｗ）が１つのネットワーク装置から他のネットワーク装置に移行され、例えば、ＭＮからＳＮに移行される場合、移行元側ネットワーク装置のＤＲＢがベアラ変更後でも保持され、ＵＥ内の移行元側ノードに対応するプロトコルスタックはＡＣＫ確認を受信していないデータフローの第１部分ＰＤＣＰ  ＰＤＵを元のベアラによって第１ネットワーク装置（例えば、ＭＮ）に伝送し続ける。
【０１５３】
また、上記技術案を実行すると同時に、前記端末装置はデータフローの第２部分データを第２ネットワーク装置に伝送する。
【０１５４】
前記端末装置によるデータフローの第１部分データの第１ネットワーク装置への伝送が完了する時に、第２指示情報を生成し、その後、第２指示情報を第１ネットワーク装置に送信する。
【０１５５】
前記第２指示情報はブランクデータパケットであり、又は、プリセットの識別子を含むデータパケットであってもよい。プリセットの識別子は実際の状況に応じて設定でき、例えば、Ｎ  ｂｉｔのデータであってもよく、該Ｎ  ｂｉｔのデータはプリセットの構成を有し、本実施例では一々列挙しない。
【０１５６】
第４通信ユニットは、前記データフローの第１部分データ、及び前記第２指示情報を、Ｘｎインターフェースによって第２ネットワーク装置に送信する。
【０１５７】
又は、第４通信ユニットは、前記データフローの第１部分データをコアネットワークとの間のＧＴＰトンネルによってコアネットワークに送信し、前記第２指示情報をＸｎインターフェースによって第２ネットワーク装置に送信する。
【０１５８】
第４通信ユニットは、Ｘｎインターフェースで、第２ネットワーク装置との間の、第２ネットワーク装置にデータを転送するためのＧＴＰトンネルを確立する。
【０１５９】
即ち、第１ネットワーク装置は端末装置が元のベアラに基づいて送信した第１部分データ及び第２指示を受信する時に、これらの情報を第２ネットワーク装置との間のＸｎインターフェースで確立されたＧＴＰトンネルによって第２ネットワーク装置にリアルタイムに送信する。それによって、第２ネットワーク装置は第１部分データ及び自体によって受信された第２部分データをソートした後、上位層に提出する。
【０１６０】
以下、図９を参照して上記シーンを説明する。ＵＬの場合、まず、ＳＮノードを確立する時又はベアラが変更する時、ＭＮとＳＮの間のＸｎインターフェースで、移行元側が受信した転送データを伝送するためのＧＴＰトンネルを確立する。
【０１６１】
１つのＱｏｓデータフロー（Ｆｌｏｗ）のベアラが１つのノードから他のノードに移行され、例えば、ＭＮからＳＮに移行される場合、移行元側ノードのＤＲＢがベアラ変更後でも保持され、端末とポンプ内の移行元側ノードに対応するプロトコルスタックはＡＣＫ確認を受信していないＰＤＣＰ  ＰＤＵを伝送し続け、図示するように、端末装置はデータフロー１の第１部分データをＭＮに送信し続け、データフロー１の第１部分データの伝送が完了するまで、第２指示情報を移行元側ノードに伝送し、
前記第２指示情報は第１部分データの最後のデータパケット内に位置してもよく、該第２指示情報は該移行されたＱｏｓデータフロー（Ｆｌｏｗ）の伝送未完了のデータの伝送が完了したことを移行元側ノードに通知することに用いられる。
【０１６２】
移行元側ノードは受信したデータフロー１の第１部分データ、例えばＳＤＡＰ  ＳＤＵ、及びＳＤＡＰ  ｅｎｄ  ｍａｒｋｅｒである第２指示情報を、Ｘｎインターフェースによって移行先側ノード（ＳＮ）に伝送し、移行先側ノード（ＳＮ）はまず、移行元側ノードからのデータＳＤＡＰ  ＳＤＵをコアネットワークに送信し、第２指示情報を受信した後、該側によって受信されたデータフロー１の第２部分データをコアネットワークに送信する。
【０１６３】
又は、移行元側ノードはデータフロー１の第１部分データを受信し、例えば、ＳＤＡＰ  ＳＤＵ及びＳＤＡＰ  ｅｎｄ  ｍａｒｋｅｒである第２指示情報を受信し、前記移行元側ノードはまず、受信したＳＤＡＰ  ＳＤＵを該ノードとコアネットワークの間のＰＤＵ  ｓｅｓｓｉｏｎに対応するＧＴＰトンネルによってコアネットワークに送信し、その後、ＳＤＡＰ  ｅｎｄ  ｍａｒｋｅｒをＸｎインターフェースによって移行先側に伝送し、移行先側は第２指示情報であるＳＤＡＰ  ｅｎｄ  ｍａｒｋｅｒ指示を受信した後、該側によって受信されたデータをコアネットワークに送信する。
【０１６４】
以上から分かるように、上記技術案によれば、データフローのベアラが第１ネットワーク装置から第２ネットワーク装置に移行される時に、指示情報を第２ネットワーク装置に送信することで、前記第２ネットワーク装置は移行されたデータフローを新たなベアラで順次伝送し始めることができる。それによって、データフロー移行の発生時、移行先ネットワーク装置側がデータ伝送の順序を確保することができる。
【０１６５】
実施例１２
本願の実施例は第２ネットワーク装置を提供し、図１３に示すように、
データフローのベアラが第１ネットワーク装置から第２ネットワーク装置に移行される時に、第１ネットワーク装置からのデータフローの第１部分データ及び第２指示情報を受信し、又は、第１ネットワーク装置からの第２指示情報を受信し、前記第２指示情報は移行の発生時にデータフロー内の伝送未完了の第１部分データの伝送が完了したことを指示するためのものである第５通信ユニット１３０１と、
前記第２指示情報に基づいて、前記第１部分データをコアネットワークに提出した後、データフローの第２部分データをコアネットワークに提出する第５処理ユニット１３０２と、を備える。
【０１６６】
本実施例は、端末装置がアップリンクデータをネットワーク側に送信する時、データフローのベアラ移行が発生するシーンに適用する。
【０１６７】
本実施例におけるデータフローはＱｏＳデータフローとして理解してもよく、第１ネットワーク装置は移行元ノードであってもよく、第２ネットワーク装置は移行先ノードであってもよい。また、第１ネットワーク装置及び第２ネットワーク装置はそれぞれデュアル接続（ＤＣ）におけるマスターノード（ＭＮ）及びセカンダリノード（ＳＮ）であってもよく、勿論、ＤＣシーンでの他のノードであってもよいが、ここでは重複説明を省略する。
【０１６８】
なお、本実施例におけるデータフローはＱｏｓデータフローであってもよい。
【０１６９】
データフローのベアラが第１ネットワーク装置から第２ネットワーク装置に移行される時に、前記第１ネットワーク装置のデータ無線ベアラ（ＤＲＢ）を保持し続け、端末装置からの未確認の前記データフローの第１部分ＰＤＣＰ  ＰＤＵを受信する。即ち、Ｑｏｓデータフロー（Ｆｌｏｗ）が１つのネットワーク装置から他のネットワーク装置に移行され、例えば、ＭＮからＳＮに移行される場合、移行元側ネットワーク装置のＤＲＢがベアラ変更後でも保持され、ＵＥ内の移行元側ノードに対応するプロトコルスタックはＡＣＫ確認を受信していないデータフローの第１部分ＰＤＣＰ  ＰＤＵを元のベアラによって第１ネットワーク装置（例えば、ＭＮ）に伝送し続ける。
【０１７０】
また、上記技術案を実行すると同時に、前記端末装置はデータフローの第２部分データを第２ネットワーク装置に伝送する。
【０１７１】
前記端末装置によるデータフローの第１部分データの第１ネットワーク装置への伝送が完了する時に、第２指示情報を生成し、その後、第２指示情報を第１ネットワーク装置に送信する。
【０１７２】
前記第２指示情報はブランクデータパケットであり、又は、プリセットの識別子を含むデータパケットであってもよい。プリセットの識別子は実際の状況に応じて設定でき、例えば、Ｎ  ｂｉｔのデータであってもよく、該Ｎ  ｂｉｔのデータはプリセットの構成を有し、本実施例では一々列挙しない。
【０１７３】
第５通信ユニット１３０１は、Ｘｎインターフェースによって、第１ネットワーク装置からのデータフローの第１部分データ、及び第２指示情報を受信する。
【０１７４】
又は、前記第５通信ユニット１３０１は、Ｘｎインターフェースによって、第１ネットワーク装置からのデータフローの第２指示情報を受信する。
【０１７５】
第５通信ユニット１３０１は、Ｘｎインターフェースで、第１ネットワーク装置との間の、第１ネットワーク装置から送信されたデータを受信するためのＧＴＰトンネルを確立する。
【０１７６】
第５処理ユニット１３０２は、第２指示情報を受信したか否かを判断し、受信していない場合、前記データフローの第２部分データをコアネットワークに送信しないまま維持し、受信した場合、前記第１部分データをコアネットワークに送信した後、受信したデータフローの第２部分データをコアネットワークに提出するように制御する。即ち、第１ネットワーク装置は端末装置が元のベアラに基づいて送信した第１部分データ及び第２指示を受信する時に、これらの情報を第２ネットワーク装置との間のＸｎインターフェースで確立されたＧＴＰトンネルによって第２ネットワーク装置にリアルタイムに送信する。第２ネットワーク装置は第１部分データ及び自体によって受信された第２部分データをソートした後、上位層に提出する。
【０１７７】
以下、図９を参照して上記シーンを説明する。ＵＬの場合、まず、ＳＮノードを確立する時又はベアラが変更する時、ＭＮとＳＮの間のＸｎインターフェースで、移行元側が受信した転送データを伝送するためのＧＴＰトンネルを確立する。
【０１７８】
１つのＱｏｓデータフロー（Ｆｌｏｗ）のベアラが１つのノードから他のノードに移行され、例えば、ＭＮからＳＮに移行される場合、移行元側ノードのＤＲＢがベアラ変更後でも保持され、端末とポンプ内の移行元側ノードに対応するプロトコルスタックはＡＣＫ確認を受信していないＰＤＣＰ  ＰＤＵを伝送し続け、図示するように、端末装置はデータフロー１の第１部分データをＭＮに送信し続け、データフロー１の第１部分データの伝送が完了するまで、第２指示情報を移行元側ノードに伝送し、
前記第２指示情報は第１部分データの最後のデータパケット内に位置してもよく、該第２指示情報は該移行されたＱｏｓデータフロー（Ｆｌｏｗ）の伝送未完了のデータの伝送が完了したことを移行元側ノードに通知することに用いられる。
【０１７９】
移行元側ノードは受信したデータフロー１の第１部分データ、例えばＳＤＡＰ  ＳＤＵ、及びＳＤＡＰ  ｅｎｄ  ｍａｒｋｅｒである第２指示情報を、Ｘｎインターフェースによって移行先側ノード（ＳＮ）に伝送し、移行先側ノード（ＳＮ）はまず、移行元側ノードからのデータＳＤＡＰ  ＳＤＵをコアネットワークに送信し、第２指示情報を受信した後、該側によって受信されたデータフロー１の第２部分データをコアネットワークに送信する。
【０１８０】
又は、移行元側ノードはデータフロー１の第１部分データを受信し、例えば、ＳＤＡＰ  ＳＤＵ及びＳＤＡＰ  ｅｎｄ  ｍａｒｋｅｒである第２指示情報を受信し、前記移行元側ノードはまず、受信したＳＤＡＰ  ＳＤＵを該ノードとコアネットワークの間のＰＤＵ  ｓｅｓｓｉｏｎに対応するＧＴＰトンネルによってコアネットワークに送信し、その後、ＳＤＡＰ  ｅｎｄ  ｍａｒｋｅｒをＸｎインターフェースによって移行先側に伝送し、移行先側は第２指示情報であるＳＤＡＰ  ｅｎｄ  ｍａｒｋｅｒ指示を受信した後、該側によって受信されたデータをコアネットワークに送信する。
【０１８１】
以上から分かるように、上記技術案によれば、データフローのベアラが第１ネットワーク装置から第２ネットワーク装置に移行される時に、指示情報を第２ネットワーク装置に送信することで、前記第２ネットワーク装置は移行されたデータフローを新たなベアラで順次伝送し始めることができる。それによって、データフロー移行の発生時、移行先ネットワーク装置側がデータ伝送の順序を確保することができる。
【０１８２】
本発明の実施例は更に端末装置、又はネットワーク装置のハードウェア構成アーキテクチャを提供し、図１４に示すように、少なくとも１つのプロセッサ１４０１、メモリ１４０２、及び少なくとも１つのネットワークインターフェース１４０３を備える。各要素はバスシステム１４０４によって結合される。理解できるように、バスシステム１４０４はこれらの要素間の接続通信を実現することに用いられる。バスシステム１４０４はデータバスに加えて、電源バス、制御バス及び状態信号バスを更に含む。説明の明瞭さから、図１４では様々なバスをバスシステム１４０４と記す。
【０１８３】
理解できるように、本発明の実施例におけるメモリ１４０２は揮発性メモリ又は不揮発性メモリであり、又は揮発性及び不揮発性メモリの両方を含む。
【０１８４】
いくつかの実施形態では、メモリ１４０２は、オペレーティングシステム１４０２１及びアプリケーションプログラム１４０２２のような実行可能モジュール又はデータ構造、又はそれらのサブセット、又はそれらの拡張セットを記憶する。
【０１８５】
前記プロセッサ１４０１は、上記実施例１〜５のいずれかに記載の方法のステップを処理できるように設定され、ここでは詳細説明を省略する。
【０１８６】
本発明の実施例はコンピュータ記憶媒体を提供し、前記コンピュータ記憶媒体にコンピュータ実行可能命令が記憶され、前記コンピュータ実行可能命令が実行される時、上記実施例１〜５のいずれかに記載の方法のステップを実施する。
【０１８７】
本発明の実施例における上記装置はソフトウェア機能モジュールの形態で実現され、且つ独立した製品として販売又は使用される場合、１つのコンピュータ可読記憶媒体に記憶されてもよい。このような理解に基づいて、本発明の実施例の技術案は本質的に又は従来技術に貢献する部分はソフトウェア製品の形態で実施され得て、該コンピュータソフトウェア製品は１つの記憶媒体に記憶され、１つのコンピュータ装置（パーソナルコンピュータ、サーバ、又はネットワーク装置等）に本発明の各実施例に係る方法の全て又は一部のステップを実行させるための複数の命令を含む。上記記憶媒体はＵディスク、モバイルディスク、読み出し専用メモリ（ＲＯＭ、Ｒｅａｄ  Ｏｎｌｙ  Ｍｅｍｏｒｙ）、磁気ディスク又は光ディスク等のプロクラムコードを記憶可能な種々の媒体を含む。このように、本発明の実施例は特定のハードウェアとソフトウェアの組合せに限定されない。
【０１８８】
例示の目的から本発明の好適実施例を開示したが、当業者であれば理解できるように、種々の改良、追加や置換を行うことは可能であるため、本発明の範囲は上記実施例に限定されるものではない。
【図１】
2021515467.tif 000003
【図２】
2021515467.tif 000004
【図３】
2021515467.tif 000005
【図４】
2021515467.tif 000006
【図５】
2021515467.tif 000007
【図６】
2021515467.tif 000008
【図７】
2021515467.tif 000009
【図８】
2021515467.tif 000010
【図９】
2021515467.tif 000011
【図１０】
2021515467.tif 000012
【図１１】
2021515467.tif 000013
【図１２】
2021515467.tif 000014
【図１３】
2021515467.tif 000015
【図１４】
2021515467.tif 000016
【手続補正書】
【提出日】令和2年8月24日(2020.8.24)
【手続補正１】
【補正対象書類名】明細書
【補正対象項目名】００６４
【補正方法】変更
【補正の内容】
【００６４】
以下、図９を参照して上記シーンを説明する。ＵＬの場合、まず、ＳＮノードを確立する時又はベアラが変更する時、ＭＮとＳＮの間のＸｎインターフェースで、移行元側が受信したデータを伝送するためのＧＴＰトンネルを確立する。
【手続補正２】
【補正対象書類名】明細書
【補正対象項目名】００６５
【補正方法】変更
【補正の内容】
【００６５】
１つのＱｏｓデータフロー（Ｆｌｏｗ）のベアラが１つのノードから他のノードに移行され、例えば、ＭＮからＳＮに移行される場合、移行元側ノードのＤＲＢがベアラ変更後でも保持され、端末内の移行元側ノードに対応するプロトコルスタックはＡＣＫ確認を受信していないＰＤＣＰ  ＰＤＵを伝送し続け、図示するように、端末装置はデータフロー１の第１部分データをＭＮに送信し続け、データフロー１の第１部分データの伝送が完了するまで、第２指示情報を移行元側ノードに伝送し、
前記第２指示情報は第１部分データの最後のデータパケット内に位置してもよく、該第２指示情報は該移行されたＱｏｓデータフロー（Ｆｌｏｗ）の伝送未完了のデータの伝送が完了したことを移行元側ノードに通知することに用いられる。
【手続補正３】
【補正対象書類名】明細書
【補正対象項目名】００６６
【補正方法】変更
【補正の内容】
【００６６】
移行元側ノードは受信したデータフロー１の第１部分データ、例えばＳＤＡＰ  ＳＤＵ、及びＳＤＡＰ  ｅｎｄ  ｍａｒｋｅｒである第２指示情報を、Ｘｎインターフェースによって移行先側ノード（ＳＮ）に伝送し、移行先側ノード（ＳＮ）はまず移行元側ノードからのデータＳＤＡＰ  ＳＤＵをコアネットワークに送信し、第２指示情報を受信した後、該側によって受信されたデータフロー１の第２部分データをコアネットワークに送信する。
【手続補正４】
【補正対象書類名】明細書
【補正対象項目名】００８１
【補正方法】変更
【補正の内容】
【００８１】
以下、図９を参照して上記シーンを説明する。ＵＬの場合、まず、ＳＮノードを確立する時又はベアラが変更する時、ＭＮとＳＮの間のＸｎインターフェースで、移行元側が受信したデータを伝送するためのＧＴＰトンネルを確立する。
【手続補正５】
【補正対象書類名】明細書
【補正対象項目名】００８２
【補正方法】変更
【補正の内容】
【００８２】
１つのＱｏｓデータフロー（Ｆｌｏｗ）のベアラが１つのノードから他のノードに移行され、例えば、ＭＮからＳＮに移行される場合、移行元側ノードのＤＲＢがベアラ変更後でも保持され、端末内の移行元側ノードに対応するプロトコルスタックはＡＣＫ確認を受信していないＰＤＣＰ  ＰＤＵを伝送し続け、図示するように、端末装置はデータフロー１の第１部分データをＭＮに送信し続け、データフロー１の第１部分データの伝送が完了するまで、第２指示情報を移行元側ノードに伝送し、
前記第２指示情報は第１部分データの最後のデータパケット内に位置してもよく、該第２指示情報は該移行されたＱｏｓデータフロー（Ｆｌｏｗ）の伝送未完了のデータの伝送が完了したことを移行元側ノードに通知することに用いられる。
【手続補正６】
【補正対象書類名】明細書
【補正対象項目名】００９７
【補正方法】変更
【補正の内容】
【００９７】
以下、図９を参照して上記シーンを説明する。ＵＬの場合、まず、ＳＮノードを確立する時又はベアラが変更する時、ＭＮとＳＮの間のＸｎインターフェースで、移行元側が受信したデータを伝送するためのＧＴＰトンネルを確立する。
【手続補正７】
【補正対象書類名】明細書
【補正対象項目名】００９８
【補正方法】変更
【補正の内容】
【００９８】
１つのＱｏｓデータフロー（Ｆｌｏｗ）のベアラが１つのノードから他のノードに移行され、例えば、ＭＮからＳＮに移行される場合、移行元側ノードのＤＲＢがベアラ変更後でも保持され、端末内の移行元側ノードに対応するプロトコルスタックはＡＣＫ確認を受信していないＰＤＣＰ  ＰＤＵを伝送し続け、図示するように、端末装置はデータフロー１の第１部分データをＭＮに送信し続け、データフロー１の第１部分データの伝送が完了するまで、第２指示情報を移行元側ノードに伝送し、
前記第２指示情報は第１部分データの最後のデータパケット内に位置してもよく、該第２指示情報は該移行されたＱｏｓデータフロー（Ｆｌｏｗ）の伝送未完了のデータの伝送が完了したことを移行元側ノードに通知することに用いられる。
【手続補正８】
【補正対象書類名】明細書
【補正対象項目名】０１０８
【補正方法】変更
【補正の内容】
【０１０８】
データフローの第２部分データを全て第２ネットワーク装置へ送信した時に、第１指示情報を生成し、その後、第１指示情報を第２ネットワーク装置に送信する。
【手続補正９】
【補正対象書類名】明細書
【補正対象項目名】０１３４
【補正方法】変更
【補正の内容】
【０１３４】
実施例１０
本願の実施例は端末装置を提供し、第３通信ユニットを備え、
前記第３通信ユニットは、データフローのベアラが第１ネットワーク装置から第２ネットワーク装置に移行される時に、データフローの第１部分データ、及び移行の発生時にデータフロー内の伝送未完了の第１部分データの伝送が完了したことを指示するための第２指示情報を第１ネットワーク装置に伝送する。
【手続補正１０】
【補正対象書類名】明細書
【補正対象項目名】０１４３
【補正方法】変更
【補正の内容】
【０１４３】
以下、図９を参照して上記シーンを説明する。ＵＬの場合、まず、ＳＮノードを確立する時又はベアラが変更する時、ＭＮとＳＮの間のＸｎインターフェースで、移行元側が受信したデータを伝送するためのＧＴＰトンネルを確立する。
【手続補正１１】
【補正対象書類名】明細書
【補正対象項目名】０１４４
【補正方法】変更
【補正の内容】
【０１４４】
１つのＱｏｓデータフロー（Ｆｌｏｗ）のベアラが１つのノードから他のノードに移行され、例えば、ＭＮからＳＮに移行される場合、移行元側ノードのＤＲＢがベアラ変更後でも保持され、端末内の移行元側ノードに対応するプロトコルスタックはＡＣＫ確認を受信していないＰＤＣＰ  ＰＤＵを伝送し続け、図示するように、端末装置はデータフロー１の第１部分データをＭＮに送信し続け、データフロー１の第１部分データの伝送が完了するまで、第２指示情報を移行元側ノードに伝送し、
前記第２指示情報は第１部分データの最後のデータパケット内に位置してもよく、該第２指示情報は該移行されたＱｏｓデータフロー（Ｆｌｏｗ）の伝送未完了のデータの伝送が完了したことを移行元側ノードに通知することに用いられる。
【手続補正１２】
【補正対象書類名】明細書
【補正対象項目名】０１４５
【補正方法】変更
【補正の内容】
【０１４５】
移行元側ノードは、受信したデータフロー１の第１部分データ、例えば、ＳＤＡＰ  ＳＤＵ、及びＳＤＡＰ  ｅｎｄ  ｍａｒｋｅｒである第２指示情報を、Ｘｎインターフェースによって移行先側ノード（ＳＮ）に伝送し、移行先側ノード（ＳＮ）はまず、移行元側ノードからのデータＳＤＡＰ  ＳＤＵをコアネットワークに送信し、第２指示情報を受信した後、該側によって受信されたデータフロー１の第２部分データをコアネットワークに送信する。
【手続補正１３】
【補正対象書類名】明細書
【補正対象項目名】０１６０
【補正方法】変更
【補正の内容】
【０１６０】
以下、図９を参照して上記シーンを説明する。ＵＬの場合、まず、ＳＮノードを確立する時又はベアラが変更する時、ＭＮとＳＮの間のＸｎインターフェースで、移行元側が受信したデータを伝送するためのＧＴＰトンネルを確立する。
【手続補正１４】
【補正対象書類名】明細書
【補正対象項目名】０１６１
【補正方法】変更
【補正の内容】
【０１６１】
１つのＱｏｓデータフロー（Ｆｌｏｗ）のベアラが１つのノードから他のノードに移行され、例えば、ＭＮからＳＮに移行される場合、移行元側ノードのＤＲＢがベアラ変更後でも保持され、端末内の移行元側ノードに対応するプロトコルスタックはＡＣＫ確認を受信していないＰＤＣＰ  ＰＤＵを伝送し続け、図示するように、端末装置はデータフロー１の第１部分データをＭＮに送信し続け、データフロー１の第１部分データの伝送が完了するまで、第２指示情報を移行元側ノードに伝送し、
前記第２指示情報は第１部分データの最後のデータパケット内に位置してもよく、該第２指示情報は該移行されたＱｏｓデータフロー（Ｆｌｏｗ）の伝送未完了のデータの伝送が完了したことを移行元側ノードに通知することに用いられる。
【手続補正１５】
【補正対象書類名】明細書
【補正対象項目名】０１７７
【補正方法】変更
【補正の内容】
【０１７７】
以下、図９を参照して上記シーンを説明する。ＵＬの場合、まず、ＳＮノードを確立する時又はベアラが変更する時、ＭＮとＳＮの間のＸｎインターフェースで、移行元側が受信したデータを伝送するためのＧＴＰトンネルを確立する。
【手続補正１６】
【補正対象書類名】明細書
【補正対象項目名】０１７８
【補正方法】変更
【補正の内容】
【０１７８】
１つのＱｏｓデータフロー（Ｆｌｏｗ）のベアラが１つのノードから他のノードに移行され、例えば、ＭＮからＳＮに移行される場合、移行元側ノードのＤＲＢがベアラ変更後でも保持され、端末内の移行元側ノードに対応するプロトコルスタックはＡＣＫ確認を受信していないＰＤＣＰ  ＰＤＵを伝送し続け、図示するように、端末装置はデータフロー１の第１部分データをＭＮに送信し続け、データフロー１の第１部分データの伝送が完了するまで、第２指示情報を移行元側ノードに伝送し、
前記第２指示情報は第１部分データの最後のデータパケット内に位置してもよく、該第２指示情報は該移行されたＱｏｓデータフロー（Ｆｌｏｗ）の伝送未完了のデータの伝送が完了したことを移行元側ノードに通知することに用いられる。
【手続補正１７】
【補正対象書類名】特許請求の範囲
【補正対象項目名】全文
【補正方法】変更
【補正の内容】
【特許請求の範囲】
【請求項１】
データを順次提出する方法であって、第１ネットワーク装置に適用され、
データフローのベアラが第１ネットワーク装置から第２ネットワーク装置に移行される場合、端末装置からのデータフローの第１部分データ、及び端末装置からの、移行の発生時にデータフロー内の伝送未完了の第１部分データの伝送が完了したことを指示するための指示情報を受信することと、
前記データフローの第１部分データ及び移行の発生時にデータフロー内の伝送未完了の第１部分データの伝送が完了したことを指示するための指示情報を第２ネットワーク装置に送信し、又は、前記データフローの第１部分データをコアネットワークに送信して、前記指示情報を第２ネットワーク装置に送信することと、を含むデータを順次提出する方法。
【請求項２】
前記データフローの第１部分データ及び移行の発生時にデータフロー内の伝送未完了の第１部分データの伝送が完了したことを指示するための指示情報を第２ネットワーク装置に送信することは、
前記データフローの第１部分データ、及び前記指示情報を、Ｘｎインターフェースによって第２ネットワーク装置に送信することを含む請求項１に記載の方法。
【請求項３】
前記データフローの第１部分データをコアネットワークに送信し、前記指示情報を第２ネットワーク装置に送信することは、
前記データフローの第１部分データをコアネットワークとの間のＧＴＰトンネルによってコアネットワークに送信することと、
前記指示情報をＸｎインターフェースによって第２ネットワーク装置に送信することと、を含む請求項１に記載の方法。
【請求項４】
前記端末装置からのデータフローの第１部分データを受信することは、
データフローのベアラが第１ネットワーク装置から第２ネットワーク装置に移行される場合、前記第１ネットワーク装置のデータ無線ベアラ（ＤＲＢ）を保持し続け、端末装置からの未確認の前記データフローの第１部分ＰＤＣＰ  ＰＤＵを受信することを含む請求項１に記載の方法。
【請求項５】
Ｘｎインターフェースで、第２ネットワーク装置との間の、第２ネットワーク装置にデータを転送するためのＧＴＰトンネルを確立することを更に含む請求項４に記載の方法。
【請求項６】
データを順次提出する方法であって、第２ネットワーク装置に適用され、
データフローのベアラが第１ネットワーク装置から第２ネットワーク装置に移行される場合、第１ネットワーク装置からのデータフローの第１部分データ、及び移行の発生時にデータフロー内の伝送未完了の第１部分データの伝送が完了したことを指示するための指示情報を受信し、又は、第１ネットワーク装置からの移行の発生時にデータフロー内の伝送未完了の第１部分データの伝送が完了したことを指示するための指示情報を受信するを含むデータを順次提出する方法。
【請求項７】
前記指示情報に基づいて、前記第２ネットワーク装置が前記第１部分データをコアネットワークに提出した後、データフローの第２部分データをコアネットワークに提出すること、を更に含む請求項６に記載の方法。
【請求項８】
前記第１ネットワーク装置からのデータフローの第１部分データ、及び移行の発生時にデータフロー内の伝送未完了の第１部分データの伝送が完了したことを指示するための指示情報を受信することは、
Ｘｎインターフェースによって、第１ネットワーク装置からのデータフローの第１部分データ、及び移行の発生時にデータフロー内の伝送未完了の第１部分データの伝送が完了したことを指示するための前記指示情報を受信することを含む請求項６に記載の方法。
【請求項９】
前記第１ネットワーク装置からの移行の発生時にデータフロー内の伝送未完了の第１部分データの伝送が完了したことを指示するための指示情報を受信することは、
Ｘｎインターフェースによって、第１ネットワーク装置からのデータフローの移行の発生時にデータフロー内の伝送未完了の第１部分データの伝送が完了したことを指示するための指示情報を受信することを含む請求項６に記載の方法。
【請求項１０】
前記指示情報を受信したか否かを判断し、受信していない場合、前記データフローの第２部分データをコアネットワークに送信しないまま維持し、受信した場合、前記第１部分データをコアネットワークに送信した後、受信したデータフローの第２部分データをコアネットワークに提出するように制御することを更に含む請求項６に記載の方法。
【請求項１１】
第１ネットワーク装置であって、
データフローのベアラが第１ネットワーク装置から第２ネットワーク装置に移行される場合、端末装置からのデータフローの第１部分データ、及び端末装置からの、移行の発生時にデータフロー内の伝送未完了の第１部分データの伝送が完了したことを指示するための指示情報を受信し、前記データフローの第１部分データ及び移行の発生時にデータフロー内の伝送未完了の第１部分データの伝送が完了したことを指示するための前記指示情報を第２ネットワーク装置に送信し、又は、前記データフローの第１部分データをコアネットワークに送信して、前記指示情報を第２ネットワーク装置に送信することに用いられる第４通信ユニットを備える第１ネットワーク装置。
【請求項１２】
第４通信ユニットは前記データフローの第１部分データ、及び前記指示情報を、Ｘｎインターフェースによって第２ネットワーク装置に送信することに用いられる請求項１１に記載の第１ネットワーク装置。
【請求項１３】
第４通信ユニットは、前記データフローの第１部分データをコアネットワークとの間のＧＴＰトンネルによってコアネットワークに送信し、前記指示情報をＸｎインターフェースによって第２ネットワーク装置に送信することに用いられる請求項１１に記載の第１ネットワーク装置。
【請求項１４】
第４通信ユニットは、データフローのベアラが第１ネットワーク装置から第２ネットワーク装置に移行される場合、データ無線ベアラ（ＤＲＢ）を保持し続け、端末装置からの未確認の前記データフローの第１部分ＰＤＣＰ  ＰＤＵを受信することに用いられる請求項１１に記載の第１ネットワーク装置。
【請求項１５】
第２ネットワーク装置であって、
データフローのベアラが第１ネットワーク装置から第２ネットワーク装置に移行される場合、第１ネットワーク装置からのデータフローの第１部分データ、及び移行の発生時にデータフロー内の伝送未完了の第１部分データの伝送が完了したことを指示するための指示情報を受信し、又は、第１ネットワーク装置からの移行の発生時にデータフロー内の伝送未完了の第１部分データの伝送が完了したことを指示するための指示情報を受信することに用いられる第５通信ユニットを備える第２ネットワーク装置。
【国際調査報告】
2021515467.tif 000017
2021515467.tif 000018
2021515467.tif 000019
2021515467.tif 000020